(57)【要約】【課題】隣り合う遮蔽体ユニットの意図しない接触を抑制でき、第１遮蔽体ユニットの構造を全く変更せず、第２及び第３遮蔽体ユニットの構造を僅かに変更するだけで済む。【解決手段】日射遮蔽装置１０は、被着体に第１遮蔽体ユニット、第２遮蔽体ユニット１２及び第３遮蔽体ユニットからなる群より選ばれた１種又は２種以上の遮蔽体ユニットであって第２又は第３遮蔽体ユニットのいずれかを少なくとも１つ含む遮蔽体ユニットが２つ、３つ又は４つ以上一列に配置された遮蔽体ユニット群１１を備える。遮蔽体ユニット群の一端、他端又は中間のいずれか１箇所又は２箇所以上に位置するように１又は２以上の伸縮ユニット２１が被着体に取付けられる。伸縮ユニットは、第２又は第３遮蔽体ユニットの移動又は伸長、或いは第２及び第３遮蔽体ユニットの移動及び伸長により、遮蔽体ユニット群の所定の隙間１１ｃを閉止可能或いは縮小可能に構成される。【選択図】図１
2020002542.tif 000002
【特許請求の範囲】
【請求項１】
天井、壁又は窓枠の被着体に第１遮蔽体ユニットと第２遮蔽体ユニットと第３遮蔽体ユニットとからなる群より選ばれた１種又は２種以上の遮蔽体ユニットであって前記第２遮蔽体ユニット又は前記第３遮蔽体ユニットのいずれかを少なくとも１つ含む遮蔽体ユニットが２つ、３つ又は４つ以上一列に配置された遮蔽体ユニット群を備え、前記第１遮蔽体ユニットが前記被着体に長手方向に伸縮不能であって長手方向に移動不能に取付けられ、前記第２遮蔽体ユニットが前記被着体に長手方向に伸縮不能であって長手方向に移動可能に取付けられ、前記第３遮蔽体ユニットが前記被着体に長手方向に伸縮可能に取付けられた日射遮蔽装置であって、
前記遮蔽体ユニット群の一端、他端又は中間のいずれか１箇所又は２箇所以上に位置するように１又は２以上の伸縮ユニットが前記被着体に取付けられ、
前記伸縮ユニットが、前記第２遮蔽体ユニットをその長手方向に移動させるか、又は前記第３遮蔽体ユニットをその長手方向に伸長させるか、或いは前記第２遮蔽体ユニットをその長手方向に移動させかつ前記第３遮蔽体ユニットをその長手方向に伸長させることにより、前記遮蔽体ユニット群の一端の隙間、他端の隙間又は中間の隙間のうち全ての隙間或いは所定の隙間を閉止可能或いは縮小可能に構成された
ことを特徴とする日射遮蔽装置。
【請求項２】
前記遮蔽体ユニット群の中間の隙間は、この隙間の一側、他側又は両側に位置する前記第２遮蔽体ユニットの移動又は前記第３遮蔽体ユニットの伸長のいずれか一方又は双方により閉止或いは縮小するように構成され、前記遮蔽体ユニット群の一端の隙間又は他端の隙間は、この隙間の一側或いは他側に位置する前記第２遮蔽体ユニットの移動又は前記第３遮蔽体ユニットの伸長により閉止或いは縮小するように構成された請求項１記載の日射遮蔽装置。
【請求項３】
前記第３遮蔽体ユニットは、隣り合う遮蔽体の長手方向の一部が重合しこの重合した状態でその重合長さが変化することにより長手方向に伸縮するように構成された請求項１記載の日射遮蔽装置。
【請求項４】
前記遮蔽体ユニット群の一端の隙間、他端の隙間又は中間の隙間のいずれかを閉止或いは縮小する前の状態を初期状態とするとき、前記遮蔽体ユニット群は前記初期状態を除いてそれぞれ昇降を不能にするように構成された請求項１記載の日射遮蔽装置。
【請求項５】
前記伸縮ユニットが、この伸縮ユニットの両側に位置する一対の第２遮蔽体ユニット又は一対の第３遮蔽体ユニット或いは単一の第２遮蔽体ユニット及び単一の第３遮蔽体ユニットをそれらの長手方向であって互いに反対方向に移動又は伸長させるか、或いはそれらの長手方向であって同一方向にそれらの移動量又は伸長量を変えて移動可能に構成された請求項１記載の日射遮蔽装置。
【請求項６】
前記伸縮ユニットが、前記遮蔽体ユニット群の長手方向に延びて前記被着体に回転可能に取付けられた出力軸と、前記出力軸の両端にそれぞれ設けられた第１及び第２雄ねじ部と、前記第１及び第２雄ねじ部にそれぞれ螺合する第１及び第２雌ねじ部がそれぞれ形成され前記出力軸の回転によりこの出力軸の長手方向に移動可能な第１及び第２スライド部材と、前記出力軸に回転力を伝達する回転力伝達機構と、前記回転力伝達機構を駆動する駆動源とを有し、
前記第１及び第２スライド部材が前記伸縮ユニットの一側、他側又は両側に位置する第２又は第３遮蔽体ユニットに係合するように構成された請求項１又は５記載の日射遮蔽装置。
【請求項７】
前記伸縮ユニットが、前記遮蔽体ユニット群の長手方向に延びて前記被着体に回転可能に取付けられた出力軸と、前記出力軸の一端に設けられた第１雄ねじ部と、前記第１雄ねじ部に螺合する第１雌ねじ部が形成され前記出力軸の回転によりこの出力軸の長手方向に移動可能な第１スライド部材と、前記出力軸に回転力を伝達する回転力伝達機構と、前記回転力伝達機構を駆動する駆動源とを有し、前記第１スライド部材が前記伸縮ユニットの一側に位置する第２又は第３遮蔽体ユニットに係合するように構成された請求項１記載の日射遮蔽装置。
【請求項８】
前記第１雄ねじ部及び前記第１雌ねじ部の螺旋の向きと、前記第２雄ねじ部及び前記第２雌ねじ部の螺旋の向きとが同一であり、前記第１雄ねじ部及び前記第１雌ねじ部のリードと、前記第２雄ねじ部及び前記第２雌ねじ部のリードとが異なるように構成されることにより、前記伸縮ユニットが、この伸縮ユニットの両側に位置する一対の第２遮蔽体ユニット又は一対の第３遮蔽体ユニット或いは単一の第２遮蔽体ユニット１２及び単一の第３遮蔽体ユニットをその長手方向であって同一方向にそれらの移動量を変えて移動可能に構成された請求項６記載の日射遮蔽装置。
【請求項９】
前記伸縮ユニットの駆動源が伸縮用操作コードの操作力であり、前記伸縮用操作コードの操作により前記第２又は第３遮蔽体ユニットが移動又は伸長するとき、この第２又は第３遮蔽体ユニットの移動端部又は伸長端部が障害物に接触するのを回避しながら操作可能な位置に前記伸縮用操作コードが配置された請求項６又は７記載の日射遮蔽装置。
【請求項１０】
前記遮蔽体ユニット群の一端の隙間又は他端の隙間のいずれか一方又は双方が、遮蔽物により隠されるように構成され、
前記遮蔽体ユニット群の一端又は他端のうち前記遮蔽物で隠された端部を有する遮蔽体ユニットが前記第１遮蔽体ユニットにより構成された請求項１記載の日射遮蔽装置。
【請求項１１】
前記遮蔽体ユニット群の一端の隙間又は他端の隙間のいずれか一方又は双方が、遮蔽物により隠されるように構成され、
前記遮蔽体ユニット群の一端又は他端のうち前記遮蔽物で隠された端部を有する遮蔽体ユニットが前記第２遮蔽体ユニット又は前記第３遮蔽体ユニットにより構成され、前記遮蔽体ユニット群の一端の隙間又は他端の隙間のうち前記遮蔽物で隠された側の隙間の大きさが、前記第２遮蔽体ユニット又は前記第３遮蔽体ユニットをその長手方向に移動又は伸縮させたときに、前記第２遮蔽体ユニット又は前記第３遮蔽体ユニットの側面が窓枠側面又は壁面に当接せずかつ前記隙間が室内側からの正面視で前記遮蔽物から視認不能になるように設定された請求項１記載の日射遮蔽装置。
【発明の詳細な説明】
【技術分野】
【０００１】
本発明は、天井、壁又は窓枠の被着体に、移動不能かつ伸縮不能な第１遮蔽体ユニット、移動可能な第２遮蔽体ユニット、及び伸縮可能な第３遮蔽体ユニットからなる群より選ばれた１種又は２種以上の遮蔽体ユニットであって第２又は第３遮蔽体ユニットのいずれかを少なくとも１つ含む遮蔽体ユニットが２つ、３つ又は４つ以上一列に配置された遮蔽体ユニット群を備えた日射遮蔽装置に関する。更に詳しくは、伸縮ユニットにより遮蔽体ユニット群の一端、他端又は中間の隙間全てを閉止或いは縮小して、光漏れを防止或いは抑制する日射遮蔽装置に関するものである。
【背景技術】
【０００２】
従来、固定面に固定された支持部材から昇降可能に遮蔽材が吊下げられ、遮蔽材が上昇した状態に対して、遮蔽材が下降した状態における固定面に対する遮蔽材の吊下げ位置が支持部材の長手方向に変化するように構成されたブラインドが開示されている（例えば、特許文献１（請求項１、２、４、９及び１１、段落［００２０］、［００４９］、［００５０］、［００５２］、図７Ａ〜図７Ｄ、図８Ａ〜図８Ｄ、図１０Ａ、図１０Ｂ）参照。）。このブラインドでは、遮蔽材が支持部材から昇降可能に吊下げられる昇降コードの昇降に伴って昇降し、昇降コードを巻取可能なドラムが支持部材の長手方向に移動することにより、支持部材からの昇降コードの吊下げ位置が長手方向に移動し、昇降コードと一体に遮蔽材が移動するように構成される。また、ドラムは、支持部材に対して相対回転不能なドラム受けと、ドラム受けに回転可能に支持される回転ドラムとを有し、ドラム受けと回転ドラムとが一体に支持部材に沿って長手方向に移動するように構成される。更に、遮蔽材は、遮蔽材の昇降に連動して支持部材の長手方向へ移動するように構成されるか、或いは下限位置まで下降した後に支持部材の長手方向へ移動するように構成される。なお、ブラケットに対して支持部材であるヘッドボックス自体を長手方向に移動可能に係止させることができる。
【０００３】
このように構成されたブラインドでは、スラット（遮蔽材）の昇降の全区間において長手方向に移動する場合、スラットが上限位置まで上昇しているとき、隣り合うスラット同士は最大に離隔しており、隣り合うヘッドボックスの隙間と同程度の間隔の隙間が形成され、スラットの下降に伴ってスラットが隣り合うスラット方向へ移動し、隣り合うスラット同士の隙間が徐々に小さくなっていき、スラットが下限位置まで下降すると、隣り合うスラット同士の隙間が閉塞された状態になる。また、スラットが下限位置まで下降した後に長手方向に移動する場合、スラットが上限位置から下限位置まで下降している間、隣り合うスラットの隙間は一定であり、スラットが下限位置まで下降した後に、回転軸及び遮蔽材昇降装置を長手方向にスライドさせることで、スラットが隣り合うスラット方向へ移動し、隣り合うスラットの隙間が閉塞される。従って、スラットが上昇した状態における固定面に対するスラットの吊下げ位置と、スラットが下降した状態における固定面に対するスラットの吊下げ位置とが異なるので、スラットが下降した状態においてスラットの吊下げ位置を支持部材の長手方向に変化させることにより、スラットが窓枠に近付いてスラットと窓枠との隙間が小さくなり、また隣り合うスラット同士が近付いてスラット同士の隙間が小さくなり、光漏れを防止できる。なお、ブラケットに対して支持部材であるヘッドボックス自体を長手方向に移動可能に係止させると、手動で遮蔽材の昇降に応じてヘッドボックス自体を長手方向に移動させることができる。これにより、ヘッドボックス内部及びヘッドボックス下方の構成を既存のブラインドと同様にすることができ、既存のブラインドを流用することができる。
【先行技術文献】
【特許文献】
【０００４】
【特許文献１】特開２０１４−２０６００９号公報
【発明の概要】
【発明が解決しようとする課題】
【０００５】
しかし、上記従来の特許文献１に示されたブラインドでは、ブラケットに対して支持部材であるヘッドボックス自体を長手方向に移動可能に係止させると、手動でヘッドボックス自体を長手方向に移動させるため、遮蔽材の昇降操作中に、ヘッドボックスが遮蔽材とともに長手方向に移動してしまい、隣りの遮蔽体に意図せずに接触してしまう不具合があった。また、上記従来の特許文献１に示されたブラインドでは、ドラム受けと回転ドラムとが一体に支持部材に沿って長手方向に移動するスライド構造にすると、支持部材内の構造が複雑になり、ブラインドの製作工数が大幅に増大する問題点もあった。
【０００６】
本発明の第１の目的は、隣り合う遮蔽体ユニットの意図しない接触を抑制でき、また第１遮蔽体ユニットの構造を全く変更せず、第２及び第３遮蔽体ユニットの構造を僅かに変更するだけで済む、日射遮蔽装置を提供することにある。本発明の第２の目的は、第３遮蔽体ユニットが伸長又は縮小しても、第３遮蔽体ユニットの隣り合う遮蔽体が長手方向に離間せず重合した状態に保たれることにより、第３遮蔽体ユニットの隣り合う遮蔽体間から光が漏れるのを防止できる、日射遮蔽装置を提供することにある。本発明の第３の目的は、遮蔽体ユニット群の隙間を狭くしているけれどもその隙間の閉止或いは縮小を未だ完了させていない第２又は第３遮蔽体ユニットの操作性を良好に保つことができるとともに、上記狭くされた隙間からの光漏れを減少できる、日射遮蔽装置を提供することにある。本発明の第４の目的は、伸縮ユニットの個数を低減できるので、部品点数及び組付工数を低減できるとともに、伸縮ユニットの操作時間を短縮できる、日射遮蔽装置を提供することにある。本発明の第５の目的は、伸縮ユニットの操作コードの操作中に、接触による障害物又は遮蔽体ユニット群の損傷を防止できる、日射遮蔽装置を提供することにある。本発明の第６の目的は、遮蔽体ユニット群のうち端部が遮蔽物で隠される遮蔽体ユニットを、構成部品の少ない第１遮蔽体ユニットで構成することにより、遮蔽体ユニット群をより少ない工数の増加で製作でき、より容易に据付現場に設置できる、日射遮蔽装置を提供することにある。本発明の第７の目的は、遮蔽体ユニット群の一端の隙間又は他端の隙間が遮蔽物により隠された状態で、第２又は第３遮蔽体ユニットを移動又は伸縮させても、第２又は第３遮蔽体ユニットの側面が窓枠側面等に当接するのを阻止できるとともに、上記隙間から入った光が遮蔽物に遮られて室内への光漏れを防止できる、日射遮蔽装置を提供することにある。
【課題を解決するための手段】
【０００７】
本発明の第１の観点は、図１及び図５に示すように、天井、壁又は窓枠の被着体１３に第１遮蔽体ユニットと第２遮蔽体ユニット１２と第３遮蔽体ユニットとからなる群より選ばれた１種又は２種以上の遮蔽体ユニットであって第２遮蔽体ユニット１２又は第３遮蔽体ユニットのいずれかを少なくとも１つ含む遮蔽体ユニットが２つ、３つ又は４つ以上一列に配置された遮蔽体ユニット群１１を備え、第１遮蔽体ユニットが被着体に長手方向に伸縮不能であって長手方向に移動不能に取付けられ、第２遮蔽体ユニット１２が被着体１３に長手方向に伸縮不能であって長手方向に移動可能に取付けられ、第３遮蔽体ユニットが被着体に長手方向に伸縮可能に取付けられた日射遮蔽装置１０であって、遮蔽体ユニット群１１の一端、他端又は中間のいずれか１箇所又は２箇所以上に位置するように１又は２以上の伸縮ユニット２１が被着体１３に取付けられ、伸縮ユニット２１が、第２遮蔽体ユニット１２をその長手方向に移動させるか、又は第３遮蔽体ユニットをその長手方向に伸長させるか、或いは第２遮蔽体ユニットをその長手方向に移動させかつ第３遮蔽体ユニットをその長手方向に伸長させることにより、遮蔽体ユニット群１１の一端の隙間１１ａ、他端の隙間１１ｂ又は中間の隙間１１ｃのうち全ての隙間或いは所定の隙間を閉止可能或いは縮小可能に構成されたことを特徴とする。
【０００８】
本発明の第２の観点は、第１の観点に基づく発明であって、更に図１に示すように、遮蔽体ユニット群１１の中間の隙間１１ｃは、この隙間の一側、他側又は両側に位置する第２遮蔽体ユニット１２の移動又は第３遮蔽体ユニットの伸長のいずれか一方又は双方により閉止或いは縮小するように構成され、遮蔽体ユニット群１１の一端の隙間１１ａ又は他端の隙間１１ｂは、この隙間の一側或いは他側に位置する第２遮蔽体ユニット１２の移動又は第３遮蔽体ユニットの伸長により閉止或いは縮小するように構成されたことを特徴とする。
【０００９】
本発明の第３の観点は、第１の観点に基づく発明であって、更に図１０に示すように、第３遮蔽体ユニット８３は、隣り合う遮蔽体８４，８４の長手方向の一部が重合しこの重合した状態でその重合長さが変化することにより長手方向に伸縮するように構成されたことを特徴とする。
【００１０】
本発明の第４の観点は、第１の観点に基づく発明であって、更に遮蔽体ユニット群の一端の隙間、他端の隙間又は中間の隙間のいずれかを閉止或いは縮小する前の状態を初期状態とするとき、遮蔽体ユニット群は初期状態を除いてそれぞれ昇降を不能にするように構成されたことを特徴とする。
【００１１】
本発明の第５の観点は、第１の観点に基づく発明であって、更に図１３に示すように、伸縮ユニット１３３が、この伸縮ユニット１３３の両側に位置する一対の第２遮蔽体ユニット又は一対の第３遮蔽体ユニット或いは単一の第２遮蔽体ユニット１２及び単一の第３遮蔽体ユニット８３をそれらの長手方向であって互いに反対方向に移動又は伸長させるか、或いはそれらの長手方向であって同一方向にそれらの移動量又は伸長量を変えて移動可能に構成されたことを特徴とする。
【００１２】
本発明の第６の観点は、第１又は第５の観点に基づく発明であって、更に図２〜図４に示すように、伸縮ユニット２１が、遮蔽体ユニット群１１の長手方向に延びて被着体１３に回転可能に取付けられた出力軸２３と、出力軸２３の両端にそれぞれ設けられた第１及び第２雄ねじ部３１ａ，３２ａと、第１及び第２雄ねじ部３１ａ，３２ａにそれぞれ螺合する第１及び第２雌ねじ部２４ａ，２６ａがそれぞれ形成され出力軸２３の回転によりこの出力軸２３の長手方向に移動可能な第１及び第２スライド部材２４，２６と、出力軸２３に回転力を伝達する回転力伝達機構２７と、回転力伝達機構２７を駆動する駆動源２８とを有し、第１及び第２スライド部材２４，２６が伸縮ユニット２１の一側、他側又は両側に位置する第２遮蔽体ユニット１２又は第３遮蔽体ユニットに係合するように構成されたことを特徴とする。
【００１３】
本発明の第７の観点は、第１の観点に基づく発明であって、更に図６〜図８に示すように、伸縮ユニット５２が、遮蔽体ユニット群５１の長手方向に延びて被着体１３に回転可能に取付けられた出力軸２３と、出力軸２３の一端に設けられた第１雄ねじ部３１ａと、第１雄ねじ部３１ａに螺合する第１雌ねじ部２４ａが形成され出力軸２３の回転によりこの出力軸２３の長手方向に移動可能な第１スライド部材２４と、出力軸２３に回転力を伝達する回転力伝達機構２７と、回転力伝達機構２７を駆動する駆動源２８とを有し、第１スライド部材２４が伸縮ユニット５２の一側に位置する第２遮蔽体ユニット１２又は第３遮蔽体ユニットに係合するように構成されたことを特徴とする。
【００１４】
本発明の第８の観点は、第６の観点に基づく発明であって、更に図１３に示すように、第１雄ねじ部及び第１雌ねじ部の螺旋の向きと、第２雄ねじ部及び第２雌ねじ部の螺旋の向きとが同一であり、第１雄ねじ部及び第１雌ねじ部のリードと、第２雄ねじ部及び第２雌ねじ部のリードとが異なるように構成されることにより、伸縮ユニット１３３が、この伸縮ユニット１３３の両側に位置する一対の第２遮蔽体ユニット又は一対の第３遮蔽体ユニット或いは単一の第２遮蔽体ユニット１２及び単一の第３遮蔽体ユニット８３をその長手方向であって同一方向にそれらの移動量を変えて移動可能に構成されたことを特徴とする。
【００１５】
本発明の第９の観点は、第６又は第７の観点に基づく発明であって、更に図１２に示すように、伸縮ユニット５２の駆動源が伸縮用操作コードの操作力であり、この伸縮用操作コードの操作により第２又は第３遮蔽体ユニット８３が移動又は伸長するとき、この第２又は第３遮蔽体ユニット８３の移動端部又は伸長端部が障害物に接触するのを回避しながら操作可能な位置に伸縮用操作コードが配置されたことを特徴とする。
【００１６】
本発明の第１０の観点は、第１の観点に基づく発明であって、更に図１４に示すように、遮蔽体ユニット群１５１の一端の隙間１５１ａ又は他端の隙間１５１ｂのいずれか一方又は双方が、遮蔽物３６により隠されるように構成され、遮蔽体ユニット群１５１の一端又は他端のうち遮蔽物３６で隠された端部を有する遮蔽体ユニットが第１遮蔽体ユニット６１により構成されたことを特徴とする。
【００１７】
本発明の第１１の観点は、第１の観点に基づく発明であって、更に図１に示すように、遮蔽体ユニット群１１の一端の隙間１１ａ又は他端の隙間１１ｂのいずれか一方又は双方が、遮蔽物３６により隠されるように構成され、遮蔽体ユニット群１１の一端又は他端のうち遮蔽物３６で隠された端部を有する遮蔽体ユニットが第２遮蔽体ユニット１２又は第３遮蔽体ユニットにより構成され、遮蔽体ユニット群１１の一端の隙間１１ａ又は他端の隙間１１ｂのうち遮蔽物３６で隠された側の隙間の大きさが、第２遮蔽体ユニット１２又は第３遮蔽体ユニットをその長手方向に移動又は伸縮させたときに、第２遮蔽体ユニット１２又は第３遮蔽体ユニットの側面が窓枠側面又は壁面に当接せずかつ上記隙間１１ａ，１１ｂが室内側からの正面視で遮蔽物３６から視認不能になるように設定されたことを特徴とする。
【発明の効果】
【００１８】
本発明の第１の観点の日射遮蔽装置では、被着体に取付けられた伸縮ユニットが、第２遮蔽体ユニットをその長手方向に移動させるか、又は第３遮蔽体ユニットをその長手方向に伸長させるか、或いは第２遮蔽体ユニットをその長手方向に移動させかつ第３遮蔽体ユニットをその長手方向に伸長させることにより、遮蔽体ユニット群の一端の隙間、他端の隙間又は中間の隙間のうち全ての隙間或いは所定の隙間を閉止或いは縮小する、即ち被着体に取付けられた伸縮ユニットを操作しなければ、第２又は第３遮蔽体ユニットをその長手方向に移動又は伸縮できない構成であるので、遮蔽体ユニット群の隙間を閉止或いは縮小していない状態で第２又は第３遮蔽体ユニットを昇降操作しても、第２又は第３遮蔽体ユニットがその長手方向に移動又は伸縮せず、隣り合う遮蔽体ユニットの意図しない接触を抑制できる。また、第１遮蔽体ユニットの構造を全く変更せず、第２及び第３遮蔽体ユニットの構造を僅かに変更するだけで済むので、遮蔽体ユニット群を比較的少ない工数の増加で作製でき、比較的容易に据付現場に設置できる。
【００１９】
本発明の第２の観点の日射遮蔽装置では、遮蔽体ユニット群の中間の隙間が、これらの隙間の一側、他側又は両側に位置する第２遮蔽体ユニットの移動又は第３遮蔽体ユニットの伸長のいずれか一方又は双方により閉止或いは縮小し、遮蔽体ユニット群の一端の隙間又は他端の隙間が、この隙間の一側或いは他側に位置する第２遮蔽体ユニットの移動又は第３遮蔽体ユニットの伸長により閉止或いは縮小するので、第２又は第３遮蔽体ユニットのいずれか一方又は双方を遮蔽体ユニット群に適切に配置することにより、遮蔽体ユニット群の各隙間を確実に閉止或いは縮小できる。
【００２０】
本発明の第３の観点の日射遮蔽装置では、第３遮蔽体ユニットが、隣り合う遮蔽体の長手方向の一部が重合しこの重合した状態でその重合長さが変化することにより長手方向に伸縮するので、第３遮蔽体ユニットが伸長又は縮小しても、第３遮蔽体ユニットの隣り合う遮蔽体が長手方向に離間せず重合した状態に保たれる。この結果、第３遮蔽体ユニットの隣り合う遮蔽体間から光が漏れるのを防止できる。
【００２１】
本発明の第４の観点の日射遮蔽装置では、遮蔽体ユニット群の一端の隙間、他端の隙間又は中間の隙間のいずれかを閉止或いは縮小する前の状態を初期状態とするとき、遮蔽体ユニット群は初期状態を除いてそれぞれ昇降を不能にするので、伸縮ユニットによる遮蔽体ユニット群の隙間の閉止或いは縮小が完了したときに、第２又は第３遮蔽体ユニットの昇降が不能になる。この結果、この昇降に伴う第２又は第３遮蔽体ユニット同士の接触による第２又は第３遮蔽体ユニットの損傷を防止できるとともに、上記隙間からの光漏れを防止或いは抑制できる。
【００２２】
本発明の第５の観点の日射遮蔽装置では、伸縮ユニットが、この伸縮ユニットの両側に位置する一対の第２遮蔽体ユニット又は一対の第３遮蔽体ユニット或いは単一の第２遮蔽体ユニット及び単一の第３遮蔽体ユニットをそれらの長手方向であって互いに反対方向に移動又は伸長させると、第１〜第３遮蔽体ユニットの配置によっては遮蔽体ユニット群の各隙間に伸縮ユニットを配設する必要が生じる場合があるのに対し、伸縮ユニットが、第２又は第３遮蔽体ユニットの長手方向であって同一方向にそれらの移動量又は伸長量を変更して移動させると、第１〜第３遮蔽体ユニットの配置によっては遮蔽体ユニット群の各隙間に伸縮ユニットを配設する必要がなくなる。この結果、伸縮ユニットの個数を低減できるので、部品点数及び組付工数を低減できるとともに、伸縮ユニットの操作時間を短縮できる。
【００２３】
本発明の第６の観点の日射遮蔽装置では、伸縮ユニットの駆動源を操作すると、この操作により発生した回転力が回転力伝達機構を介して出力軸に伝達され、この出力軸に伝達された回転力が第１及び第２雄ねじ部の第１及び第２雌ねじ部へのそれぞれの噛合により、第１及び第２スライド部材の移動にそれぞれ変換されるので、第１及び第２スライド部材にそれぞれ係合する第２又は第３遮蔽体ユニットが移動又は伸縮する。この結果、伸縮ユニットの駆動源を操作することにより、遮蔽体ユニット群の各隙間を閉止又は縮小できる。
【００２４】
本発明の第７の観点の日射遮蔽装置では、伸縮ユニットの駆動源を操作すると、この操作により発生した回転力が回転力伝達機構を介して出力軸に伝達され、この出力軸に伝達された回転力が第１雄ねじ部の第１雌ねじ部への噛合により、第１スライド部材の移動に変換されるので、第１スライド部材に係合する第２又は第３遮蔽体ユニットが移動又は伸縮する。この結果、伸縮ユニットの駆動源を操作することにより、遮蔽体ユニット群の各隙間を閉止又は縮小できる。
【００２５】
本発明の第８の観点の日射遮蔽装置では、第１雄ねじ部及び第１雌ねじ部の螺旋の向きと、第２雄ねじ部及び第２雌ねじ部の螺旋の向きとが同一であり、第１雄ねじ部及び第１雌ねじ部のリードと、第２雄ねじ部及び第２雌ねじ部のリードとを異なるように構成したので、伸縮ユニットが、この伸縮ユニットの両側に位置する第２又は第３遮蔽体ユニットをその長手方向であって同一方向にそれらの移動量を変えて移動できる。この結果、遮蔽体ユニット群の複数の隙間全てに伸縮ユニットを配置する必要がなくなり、伸縮ユニットの個数を低減できるので、部品点数及び組付工数を低減できるとともに、伸縮ユニットの操作時間を短縮できる。
【００２６】
本発明の第９の観点の日射遮蔽装置では、伸縮ユニットの伸縮用操作コードの操作により第２又は第３遮蔽体ユニットが移動又は伸長するとき、この第２又は第３遮蔽体ユニットの移動端部又は伸長端部が障害物に接触するのを回避しながら操作可能な位置に伸縮用操作コードを配置したので、伸縮ユニットの伸縮用操作コードを操作して第２又は第３遮蔽体ユニットをその長手方向に移動又は伸長させて、この第２又は第３遮蔽体ユニットの移動端部又は伸長端部が障害物に接触しそうになったとき、この接触を回避するために、障害物を手で抑えながら伸縮用操作コードを操作する。この結果、上記接触による障害物或いは第２又は第３遮蔽体ユニットの損傷を防止できる。
【００２７】
本発明の第１０の観点の日射遮蔽装置では、遮蔽体ユニット群の一端の隙間又は他端の隙間のいずれか一方又は双方を、遮蔽物により隠すように構成し、遮蔽体ユニット群の一端又は他端のうち遮蔽物で隠された端部を有する遮蔽体ユニットを第１遮蔽体ユニットにより構成したので、長手方向に移動不能であってかつ長手方向に伸縮不能である第１遮蔽体ユニットの遮蔽物で隠された端部に隙間が閉止又は縮小されなくても、この端部から光漏れが発生することはない。この結果、遮蔽体ユニット群のうち端部が遮蔽物で隠される遮蔽体ユニットを、構成部品の少ない第１遮蔽体ユニットで構成できるため、遮蔽体ユニット群をより少ない工数の増加で製作でき、より容易に据付現場に設置できる。
【００２８】
本発明の第１１の観点の日射遮蔽装置では、遮蔽体ユニット群の一端の隙間又は他端の隙間のいずれか一方又は双方を遮蔽物により隠すように構成し、この遮蔽物で隠された端部を有する遮蔽体ユニットを第２遮蔽体ユニット又は第３遮蔽体ユニットにより構成し、遮蔽体ユニット群の一端の隙間又は他端の隙間のうち遮蔽物で隠された側の隙間を縮小する方向に、第２遮蔽体ユニット又は第３遮蔽体ユニットを移動又は伸長させても、第２遮蔽体ユニット又は第３遮蔽体ユニットの側面が窓枠側面又は壁面に当接しないので、この当接による異音が発生することはない。また、遮蔽体ユニット群の一端の隙間又は他端の隙間のうち遮蔽物で隠された側の隙間を増大する方向に、第２遮蔽体ユニット又は第３遮蔽体ユニットを移動又は縮小させても、上記隙間が室内側からの正面視で遮蔽物から視認できないので、上記隙間から入った光が遮蔽物に遮られて室内への光漏れを防止できる。
【図面の簡単な説明】
【００２９】
【図１】本発明第１実施形態の日射遮蔽装置の一対の第２遮蔽体ユニット間の隙間を伸縮ユニットにより閉止する前後の状態を示す構成図である。
【図２】その伸縮ユニットを示す図３のＡ−Ａ線断面図である。
【図３】一対の第２遮蔽体ユニット間の隙間を閉止する前の状態を示す図２のＢ−Ｂ線断面図である。
【図４】一対の第２遮蔽体ユニット間の隙間を閉止した後の状態を示す図２のＢ−Ｂ線断面図である。
【図５】一対の第２遮蔽体ユニット間の隙間を伸縮ユニットにより閉止する前後の状態を示す正面図である。
【図６】本発明第２実施形態の日射遮蔽装置の第１及び第２遮蔽体ユニット間の隙間を伸縮ユニットにより閉止する前後の状態を示す構成図である。
【図７】第１及び第２遮蔽体ユニット間の隙間を閉止する前の状態を示す図３に対応する断面図である。
【図８】第１及び第２遮蔽体ユニット間の隙間を閉止した後の状態を示す図４に対応する断面図である。
【図９】本発明第３実施形態の日射遮蔽装置の第１及び第３遮蔽体ユニット間の隙間を伸縮ユニットにより閉止する前後の状態を示す構成図である。
【図１０】第１及び第３遮蔽体ユニット間の隙間を伸縮ユニットにより閉止する前後の状態を示す正面図である。
【図１１】第１及び第３遮蔽体ユニット間の隙間を伸縮ユニットにより閉止する前後の状態を示す平面図である。
【図１２】本発明第４実施形態の日射遮蔽装置の一対の第３遮蔽体ユニット間の隙間を伸縮ユニットにより閉止する前後の状態を示す構成図である。
【図１３】本発明第５実施形態の日射遮蔽装置の第２及び第３遮蔽体ユニット間の隙間を伸縮ユニットにより閉止する前後の状態を示す構成図である。
【図１４】本発明第６実施形態の日射遮蔽装置の遮蔽体ユニット群の各隙間を伸縮ユニットにより閉止する前後の状態を示す構成図である。
【図１５】本発明第７実施形態の日射遮蔽装置の遮蔽体ユニット群の各隙間を伸縮ユニットにより閉止する前後の状態を示す構成図である。
【図１６】本発明第８実施形態の日射遮蔽装置の遮蔽体ユニット群の各隙間を伸縮ユニットにより閉止する前後の状態を示す構成図である。
【図１７】本発明第９実施形態の日射遮蔽装置の遮蔽体ユニット群の各隙間を伸縮ユニットにより閉止する前後の状態を示す構成図である。
【発明を実施するための形態】
【００３０】
次に本発明を実施するための形態を図面に基づいて説明する。
【００３１】
＜第１の実施の形態＞
図１及び図５に示すように、日射遮蔽装置１０は、被着体１３に２つの第２遮蔽体ユニット１２，１２、即ち一端側（右側）の第２遮蔽体ユニット１２と他端側（左側）の第２遮蔽体ユニット１２とが一列に配置された遮蔽体ユニット群１１を備える。被着体１３は、この実施の形態では、窓枠の上枠部である。また、２つの第２遮蔽体ユニット１２，１２は、被着体１３に長手方向に伸縮不能であって、長手方向に移動可能にそれぞれ取付けられる。具体的には、第２遮蔽体ユニット１２は、被着体１３に取付けられた一対のブラケット１４，１４と、これらのブラケット１４，１４に取付けられたヘッドレール１６と、このヘッドレール１６の長手方向及び前後方向にそれぞれ間隔をあけてヘッドレール１６から垂下された複数のラダーコード１７と、これらのラダーコード１７間に鉛直方向に所定の間隔をあけて配設され水平方向に延びる複数のスラット１８ａからなるスラット群１８と、複数のスラット１８ａのうち最下段のスラット１８ａの下方に水平方向に延びて設けられ複数のラダーコード１７の下端が連結されたボトムレール１９と、ヘッドレール１９から垂下され各スラット１８ａを貫通して下端がボトムレール１９に連結された昇降コード２０とを有する。上記ヘッドレール１６は一対のブラケット１４，１４に対してヘッドレール１６の長手方向に移動可能に構成される。具体的には、本実施の形態の第２遮蔽体ユニット１２は、後述する第２の実施の形態における第１遮蔽体ユニットの一対のブラケット及びヘッドレール間に介装された横滑り防止のためのクッション部材（図示せず）を取外すことにより、ヘッドレール１６が一対のブラケット１４，１４に対してヘッドレール１６の長手方向に移動できるように構成される。なお、第１遮蔽体ユニットは、後述するように、被着体に長手方向に伸縮不能であって長手方向に移動不能に取付けられた、従来から知られている一般的な横型ブラインドである。
【００３２】
一方、ヘッドレール１６内には、図示しないが、回転軸がヘッドレールの長手方向に延びて設けられ、ヘッドレール１６内に取付けられたドラムホルダが上記回転軸を回動可能に保持するように構成される。また、ヘッドレール１６内には、ヘッドレール１６の前方向又は後方向に回転軸とともに揺動可能な傾動ドラムが設けられ、この傾動ドラムにラダーコード１７の上端が連結される。更に、ドラムホルダ内には、ヘッドレール１６の前方向又は後方向に回転軸とともに回動可能な巻取ドラムが設けられ、傾動ドラムのプーリ溝には、円弧板状のラダーリングの内周部が嵌合される。上記巻取ドラムに昇降コード２０の上端が連結される。そして、傾動ドラム及び巻取ドラムが回転軸を介して前方向又は後方向に９０度未満の角度だけ回転すると、ラダーリングの内周部と傾動ドラムのプーリ溝の摩擦によりラダーリングも傾動ドラムと一体的に回転し、前後のラダーコード１７が上下することにより、スラット１８ａが前側又は後側に傾斜するように構成される。一方、傾動ドラム及び巻取ドラムが回転軸を介して前方向又は後方向に９０度以上回転すると、ラダーリングがストッパに当たって傾動ドラムの回転が停止し、スラット１８ａがそれ以上傾斜しなくなるけれども、巻取ドラムは回転し続けて、昇降コード２０が巻取ドラムに巻取られ又は巻取ドラムから繰出されるように構成される。なお、図５中の符号２２は、回転軸を回転させるためにヘッドレール１６の一端部から垂下された昇降チルト用操作コードである。
【００３３】
一方、遮蔽体ユニット群１１の一端、他端又は中間のうち中間の１箇所に位置するように１つの第１伸縮ユニット２１が被着体１３に取付けられる（図１及び図５）。この実施の形態では、２つの第２遮蔽体ユニット１２，１２の間の隙間１１ｃに位置するように第１伸縮ユニット２１が被着体１３に取付けられる（図３〜図５）。この第１伸縮ユニット２１が２つの第２遮蔽体ユニット１２，１２をその長手方向に移動させることにより、遮蔽体ユニット群１１の中間の隙間１１ｃを閉止可能或いは縮小可能に構成される（図１、図３及び図４）。即ち、遮蔽体ユニット群１１の中間の隙間１１ｃは、この隙間１１ｃの両側に位置する２つの第２遮蔽体ユニット１２，１２を第１伸縮ユニット２１により移動させることにより閉止或いは縮小されるように構成される（図１（ｂ）及び図４）。上記第１伸縮ユニット２１は、この実施の形態では、遮蔽体ユニット群１１の長手方向に延びて被着体１３に回転可能に取付けられた出力軸２３と、出力軸２３の両端にそれぞれ設けられた第１及び第２雄ねじ部３１ａ，３２ａと、第１及び第２雄ねじ部３１ａ，３２ａにそれぞれ螺合する第１及び第２雌ねじ部２４ａ，２６ａがそれぞれ形成され出力軸２３の回転によりこの出力軸２３の長手方向に移動可能な第１及び第２スライド部材２４，２６と、出力軸２３に回転力を伝達する回転力伝達機構２７と、回転力伝達機構２７を駆動する駆動源２８とを有する（図２〜図４）。そして、この実施の形態では、上記第１雄ねじ部３１ａ及び第１雌ねじ部２４ａの螺旋の向きと、上記第２雄ねじ部３２ａ及び第２雌ねじ部２６ａの螺旋の向きとは逆向きであり、上記第１雄ねじ部３１ａ及び第１雌ねじ部２４ａのリードと、上記第２雄ねじ部３２ａ及び第２雌ねじ部２６ａのリードとは同一になるように構成される（図３及び図４）。
【００３４】
上記出力軸２３は、被着体１３の下面に取付けられたユニットホルダ２９に回転可能に取付けられる（図２〜図４）。ユニットホルダ２９は、略Ｕ字状に形成されたホルダ本体２９ａと、このホルダ本体２９ａの一対の上端縁から互いに離れる方向に突設された第１及び第２フランジ部２９ｂ，２９ｃと、第１及び第２フランジ部２９ｂ，２９ｃの先端縁からそれぞれ垂下された第１及び第２ストッパ部２９ｄ，２９ｅとからなる。出力軸２３は、四角棒状に形成され、上記ホルダ本体２９ａの中央に両端がホルダ本体２９ａの両側面から外方にそれぞれ突設するように水平方向に延びて設けられる。また、出力軸２３のうちユニットホルダ２９の両側面から突設された両端部には、外周面に上記第１及び第２雄ねじ部３１ａ，３２ａがそれぞれ形成された第１及び第２ボス部材３１，３２が出力軸２３に対して回転不能であって長手方向に移動不能に出力軸２３に嵌入される。また、上記第１及び第２スライド部材２４，２６は、第１及び第２フランジ部２９ｂ，２９ｃより短く形成され、第１及び第２スライド部材２４，２６に形成された第１及び第２雌ねじ部２４ａ，２６ａを第１及び第２雄ねじ部３１ａ，３２ａにそれぞれ螺合させることにより、第１及び第２スライド部材２４，２６が第１及び第２フランジ部２９ｂ，２９ｃの下面に沿って第１及び第２ストッパ部２９ｄ，２９ｅとホルダ本体２９ａの一対の側板２９ｆ，２９ｇ外面との間を往復できるようになっている。更に、第１及び第２スライド部材２４，２６の下面には、第１及び第２凹部２４ｂ，２６ｂがそれぞれ形成され、２つの第２遮蔽体ユニット１２，１２のヘッドレール１６，１６端部には、エンドキャップ１６ａ，１６ａがそれぞれ装着される。上記第１凹部２４ｂに、右側の第２遮蔽体ユニット１２に取れないように固定されたエンドキャップ１６ａを挿入し、上記第２凹部２６ｂに、左側の第２遮蔽体ユニット１２に取れないように固定されたエンドキャップ１６ａを挿入することにより、第１及び第２スライド部材２４，２６が第１伸縮ユニット２１の両側に位置する２つの第２遮蔽体ユニット１２，１２にそれぞれ係合される。
【００３５】
一方、回転力伝達機構２７は、出力軸２３に嵌着された従動ギヤ２７ａと、この従動ギヤ２７ａに噛合する駆動ギヤ２７ｂと、この駆動ギヤ２７ｂと一体的に形成された駆動軸２７ｃと、この駆動軸２７ｃに嵌着されたプーリ２７ｄとからなる（図２〜図４）。従動ギヤ２７ａ及び駆動ギヤ２７ｂは、この実施の形態では、かさ歯車により構成される。また、従動ギヤ２７ａはホルダ本体２９ａの一対の側板２９ｆ，２９ｇの内側に位置するように出力軸２３に嵌着される。ホルダ本体２９ａには、出力軸２３とホルダ本体２９ａの底板２９ｈとの間に位置するようにギヤケース３３が取付けられ、駆動ギヤ２７ｂは駆動軸２７ｃとともにギヤケース３３に回転可能に取付けられる。また、駆動軸２７ｃはホルダ本体２９ａの底板２９ｈから下方に突出して設けられ、この駆動軸２７ｃの突出端部にプーリ２７ｄが嵌着される。更に、駆動源２８は、この実施の形態では、プーリ２７ｄに巻き掛けられた伸縮用操作コードである。なお、図２〜図５中の符号３４は、ホルダ本体２９ａから露出する従動ギヤ２７ａ、駆動ギヤ２７ｂ及びプーリ２７ｄ等を覆うカバー体である。このカバー体３４は、ホルダ本体２９ａより一回り大きい略Ｕ字状に形成される。
【００３６】
一方、この実施の形態では、遮蔽体ユニット群１１の一端の隙間１１ａ及び他端の隙間１１ｂの双方が、カーテンや柱等の遮蔽物３６により隠されるように構成される（図１及び図５）。そして、遮蔽体ユニット群１１の一端の遮蔽物３６で隠された端部を有する遮蔽体ユニットが第２遮蔽体ユニット１２により構成され、遮蔽体ユニット群１１の他端の遮蔽物３６で隠された端部を有する遮蔽体ユニットが第２遮蔽体ユニット１２により構成される。また、遮蔽体ユニット群１１の一端側に位置する第２遮蔽体ユニット１２の遮蔽物３６で隠された端部は図示しないが窓枠側面又は壁面に対向し、遮蔽体ユニット群１１の他端側に位置する第２遮蔽体ユニット１２の遮蔽物３６で隠された端部は図示しないが窓枠側面又は壁面に対向するように構成される。更に、遮蔽体ユニット群１１の一端の隙間１１ａ及び他端の隙間１１ｂの大きさは、第２遮蔽体ユニット１２をその長手方向に移動させたときに、第２遮蔽体ユニット１２の側面が窓枠側面等に当接せずかつ上記隙間１１ａ，１１ｂが室内側からの正面視で遮蔽物３６の側縁から視認不能になるように設定される。
【００３７】
このように構成された日射遮蔽装置１０の動作を説明する。被着体１３に取付けられた第１伸縮ユニット２１が、２つの第２遮蔽体ユニット１２，１２をその長手方向に移動させることにより、遮蔽体ユニット群１１の中間の隙間１１ｃを閉止或いは縮小する。具体的には、伸縮用操作コード２８を操作すると、この操作により発生した回転力が回転力伝達機構２７のプーリ２７ｄ、駆動ギヤ２７ｂ及び従動ギヤ２７ａを介して出力軸２３に伝達される。次に、この出力軸２３に伝達された回転力が第１及び第２雄ねじ部３１ａ，３２ａの第１及び第２雌ねじ部２４ａ，２６ａへのそれぞれの噛合により、第１及び第２スライド部材２４，２６の移動にそれぞれ変換される。更に、第１及び第２スライド部材２４，２６にそれぞれ係合する２つの第２遮蔽体ユニット１２，１２が互いに近付く方向に移動し、第１及び第２スライド部材２４，２６がホルダ本体２９ａの一対の側板２９ｆ，２９ｇにそれぞれ当接する（図４）。この結果、伸縮用操作コード２８を操作することにより、遮蔽体ユニット群１１の中間の隙間１１ｃを閉止又は縮小できる（図１（ｂ）及び図４）。このように被着体１３に取付けられた第１伸縮ユニット２１を操作しなければ、第２遮蔽体ユニット１２をその長手方向に移動できない構成であるので、遮蔽体ユニット群１１の中間の隙間１１ｃを閉止或いは縮小していない状態で第２遮蔽体ユニット１２を昇降操作しても、第２遮蔽体ユニット１２がその長手方向に移動せず、隣り合う第２遮蔽体ユニット１２，１２の意図しない接触を抑制できる。
【００３８】
また、２つの第２遮蔽体ユニット１２，１２は、従来から知られている一般的な横型ブラインドである第１遮蔽体ユニットのブラケットからクッション部材を取外し、ヘッドレール１６に取れないように固定されたエンドキャップ１６ａを第１及び第２スライド部材２４，２６の第１及び第２凹部２４ｂ，２６ｂに挿入可能な形状に変更するという僅かな変更で済むので、遮蔽体ユニット群１１を比較的少ない工数の増加で作製でき、比較的容易に据付現場に設置できる。
【００３９】
一方、遮蔽体ユニット群１１の一端の隙間１１ａ及び他端の隙間１１ｂの大きさを、２つの第２遮蔽体ユニット１２，１２をそれらの長手方向に移動させたときに、第２遮蔽体ユニット１２，１２の側面が窓枠側面等に当接せずかつ上記隙間１１ａ，１１ｂが室内側からの正面視で遮蔽物３６，３６の側縁から視認不能になるように設定したので、遮蔽体ユニット群１１の一端の隙間１１ａ及び他端の隙間１１ｂを縮小する方向に、２つの第２遮蔽体ユニット１２，１２を移動させても、第２遮蔽体ユニット１２，１２の側面が窓枠側面等に当接せず、また遮蔽体ユニット群１１の一端の隙間１１ａ及び他端の隙間１１ｂを増大する方向に、第２遮蔽体ユニット１２，１２を移動させても、上記隙間１１ａ，１１ｂは室内側からの正面視で遮蔽物３６，３６の側縁から視認できない。この結果、上記当接による異音が発生することはなく、また上記隙間１１ａ，１１ｂから入った光が遮蔽物３６，３６に遮られて、室内への光漏れを防止できる。
【００４０】
＜第２の実施の形態＞
図６〜図８は本発明の第２の実施の形態を示す。図６〜図８において図１〜図４と同一符号は同一部品を示す。この実施の形態では、日射遮蔽装置５０が、被着体１３に第２遮蔽体ユニット１２と第１遮蔽体ユニット６１が一列に配置された遮蔽体ユニット群５１を備える（図６）。即ち、この実施の形態では、第１の実施の形態の２つの第２遮蔽体ユニットのうち、他端側（左側）の第２遮蔽体ユニットが第１遮蔽体ユニット６１に置き換えられる。この第１遮蔽体ユニット６１は、被着体１３に長手方向に伸縮不能であって長手方向に移動不能に取付けられる。具体的には、第１遮蔽体ユニット６１の一対のブラケット（図示せず）及びヘッドレール１６間に横滑り防止のためのクッション部材（図示せず）が取付けられた、従来から知られている一般的な横型ブラインドである。
【００４１】
一方、遮蔽体ユニット群５１の中間の隙間５１ｃに位置するように、即ち第２遮蔽体ユニット１２と第１遮蔽体ユニット６１の間の隙間５１ｃに位置するように第２伸縮ユニット５２が被着体１３に取付けられる（図６）。この第２伸縮ユニット５２が第２遮蔽体ユニット１２をその長手方向に移動させることにより、遮蔽体ユニット群５１の中間の隙間５１ｃを閉止可能或いは縮小可能に構成される。即ち、遮蔽体ユニット群５１の中間の隙間５１ｃは、この隙間５１ｃの一側に位置する第２遮蔽体ユニット１２を第２伸縮ユニット５２により移動させることにより閉止或いは縮小されるように構成される（図６（ｂ）及び図８）。また、この実施の形態の第２伸縮ユニット５２は、第１の実施の形態の第１伸縮ユニットのうち、外周面に第２雄ねじ部を有する第２ボス部が、外周面に第２雄ねじ部を有しない第２ボス部６２に置き換えられ、第２雌ねじ部を有する第２スライド部材が取外されたこと以外は、第１の実施の形態の第１伸縮ユニットと同一に構成される（図７及び図８）。そして、第１スライド部材２４の第１凹部２４ｂに、第２遮蔽体ユニット１２のヘッドレール１６に取れないように固定されたエンドキャップ１６ａを挿入することにより、第１スライド部材２４が第２伸縮ユニット５２の右側に位置する第２遮蔽体ユニット１２に係合される。
【００４２】
一方、この実施の形態では、遮蔽体ユニット群５１の一端の隙間５１ａが遮蔽物３６により隠されるように構成される（図６）。そして、遮蔽体ユニット群５１の一端の遮蔽物３６で隠された端部を有する遮蔽体ユニットが第２遮蔽体ユニット１２により構成され、遮蔽体ユニット群５１の他端の遮蔽物３６で隠された端部を有する遮蔽体ユニットが第１遮蔽体ユニット６１により構成される。また、遮蔽体ユニット群５１の一端側に位置する第２遮蔽体ユニット１２の遮蔽物３６で隠された端部は図示しないが窓枠側面又は壁面に対向し、遮蔽体ユニット群５１の他端側に位置する第１遮蔽体ユニット６１の遮蔽物３６で隠された端部は図示しないが窓枠側面又は壁面に対向するように構成される。更に、遮蔽体ユニット群５１の一端の隙間５１ａの大きさは、第２遮蔽体ユニット１２をその長手方向に移動させたときに、第２遮蔽体ユニット１２の側面が窓枠側面等に当接せずかつ上記隙間５１ａが室内側からの正面視で遮蔽物３６の側縁から視認不能になるように設定される。なお、遮蔽体ユニット群５１の他端の隙間５１ｂの大きさは、第１遮蔽体ユニット６１がその長手方向に移動も伸縮もしないため、変化しない。上記以外は第１の実施の形態と同一に構成される。
【００４３】
このように構成された日射遮蔽装置５０の動作を説明する。被着体１３に取付けられた第２伸縮ユニット５２が、第２遮蔽体ユニット１２をその長手方向に移動させることにより、遮蔽体ユニット群５１の中間の隙間５１ｃを閉止或いは縮小する。具体的には、第２伸縮ユニット５２の伸縮用操作コード２８を群５、この操作により発生した回転力が回転力伝達機構２７のプーリ２７ｄ、駆動ギヤ２７ｂ及び従動ギヤ２７ａを介して出力軸２３に伝達される。次に、この出力軸２３に伝達された回転力が第１雄ねじ部３１ａの第１雌ねじ部２４ａへの噛合により、第１スライド部材２４の移動に変換される。更に、第１スライド部材２４に係合する第２遮蔽体ユニット１２が第１遮蔽体ユニット６１に近付く方向に移動し、第１スライド部材２４がホルダ本体２９ａの一対の側板２９ｆ，２９ｇに当接する（図８）。この結果、伸縮用操作コード２８を操作することにより、遮蔽体ユニット群５１の中間の隙間５１ｃを閉止又は縮小できる（図６（ｂ）及び図８）。このように被着体１３に取付けられた第２伸縮ユニット５２を操作しなければ、第２遮蔽体ユニット１２をその長手方向に移動できない構成であるので、遮蔽体ユニット群５１の中間の隙間５１ｃを閉止或いは縮小していない状態で第２遮蔽体ユニット１２を昇降操作しても、第２遮蔽体ユニット１２がその長手方向に移動せず、第２遮蔽体ユニット１２の第１遮蔽体ユニット６１への意図しない接触を抑制できる。
【００４４】
一方、第１遮蔽体ユニット６１は、従来から知られている一般的な横型ブラインドであるので、全く変更せずに済む。また、第２遮蔽体ユニット１２は、従来から知られている一般的な横型ブラインドである第１遮蔽体ユニット６１のブラケットからクッション部材を取外し、ヘッドレール１６に取れないように固定されたエンドキャップ１６ａを第１スライド部材２４の第１凹部２４ｂに挿入可能な形状に変更するという僅かな変更で済む。更に、第２伸縮ユニット５２の第１スライド部材２４の第１凹部２４ａに、第２遮蔽体ユニット１２のヘッドレール１６に取れないように固定されたエンドキャップ１６ａを挿入するだけで、第１スライド部材２４が第２伸縮ユニット５２の右側に位置する第２遮蔽体ユニット１２に係合されるので、第２遮蔽体ユニット１２の構造を僅かに変更するだけで済む。この結果、遮蔽体ユニット群５１を比較的少ない工数の増加で作製でき、比較的容易に据付現場に設置できる。
【００４５】
一方、遮蔽体ユニット群５１の一端の隙間５１ａの大きさを、第２遮蔽体ユニット１２をその長手方向に移動させたときに、第２遮蔽体ユニット１２の側面が窓枠側面等に当接せずかつ上記隙間５１ａが室内側からの正面視で遮蔽物３６の側縁から視認不能になるように設定したので、遮蔽体ユニット群５１の一端の隙間５１ａを縮小する方向に、第２遮蔽体ユニット１２を移動させても、第２遮蔽体ユニット１２の側面が窓枠側面等に当接せず、また遮蔽体ユニット群５１の一端の隙間５１ａを増大する方向に、第２遮蔽体ユニット１２を移動させても、上記隙間５１ａは室内側からの正面視で遮蔽物３６の側縁から視認できない。この結果、上記当接による異音が発生することはなく、また上記隙間５１ａから入った光が遮蔽物３６に遮られて、室内への光漏れを防止できる。
【００４６】
＜第３の実施の形態＞
図９〜図１１は本発明の第３の実施の形態を示す。図９において図６と同一符号は同一部品を示す。この実施の形態では、日射遮蔽装置８０が、被着体１３に第３遮蔽体ユニット８３と第１遮蔽体ユニット６１が一列に配置された遮蔽体ユニット群８１を備える（図９及び図１０）。即ち、この実施の形態では、第２の実施の形態における一端側（右側）の第２遮蔽体ユニットが第３遮蔽体ユニット８３に置き換えられる。また、第３遮蔽体ユニット８３は、被着体１３に長手方向に伸縮可能に取付けられる。即ち、第３遮蔽体ユニット８３は、隣り合うスラット群８４，８４の長手方向の一部が重合しこの重合した状態でその重合長さが変化することにより長手方向に伸縮するように構成される。具体的には、第３遮蔽体ユニット８３は、一対のブラケット８５，８５により被着体１３にそれぞれ取付けられた２つの取付フレーム８６，８６と、これらの取付フレーム８６，８６からそれぞれ垂下された２組のスラット群８４，８４とを備える（図１０）。２つの取付フレーム８６，８６は、間隔をあけて一列に配置され、第１遮蔽体ユニット６１のヘッドレール６１と長さ及び伸縮する重合部９７以外が同一にそれぞれ形成される。そして、第１遮蔽体ユニット６１の一対のブラケット９５，９５及び取付フレーム８６間に介装された横滑り防止のためのクッション部材（図示せず）を取外すことにより、取付フレーム８６が一対のブラケット８５，８５に対して取付フレーム８６の長手方向に伸縮できるように構成される。
【００４７】
なお、遮蔽体ユニット群８１の中間の隙間８１ｃに位置するように、即ち第３遮蔽体ユニット８３と第１遮蔽体ユニット６１の間の隙間８１ｃに位置するように第２伸縮ユニット５２が被着体１３に取付けられる（図９及び図１０）。そして、第２伸縮ユニット５２の第１スライド部材の下面には第１凹部が形成され、この第１凹部に、第３遮蔽体ユニット８３の他方（左側）の取付フレーム８６に取れないように固定されたエンドキャップを挿入することにより、第１スライド部材が第２伸縮ユニット５２の右側に位置する第３遮蔽体ユニット８３に係合される。この第２伸縮ユニット５２が第３遮蔽体ユニット８３をその長手方向に伸長させることにより、遮蔽体ユニット群８１の中間の隙間８１ｃを閉止可能或いは縮小可能に構成される。即ち、遮蔽体ユニット群８１の中間の隙間８１ｃは、この隙間８１ｃの一側に位置する第３遮蔽体ユニット８３を第２伸縮ユニット５２により伸長させることにより閉止或いは縮小されるように構成される（図９（ｂ）及び図１０（ｂ））。
【００４８】
一方、各取付フレーム８６，８６内には、取付フレーム８６，８６の長手方向に延びる四角柱状の回転軸８７，８７がそれぞれ設けられるとともに、非重合用ドラムホルダ（図示せず）が取付フレーム８６，８６の長手方向に間隔をあけて２個ずつそれぞれ設けられる（図１１）。各回転軸８７，８７は、各取付フレーム８６，８６から互いに近付く方向に突出し、これらの突出端には連結筒８８が嵌入される。連結筒８８の一端は一方（右側）の回転軸８７に対して回転不能であって長手方向に移動可能に嵌入され、連結筒８８の他端は他方（左側）の回転軸８７に対して回転不能であって長手方向に移動不能に嵌入される。これにより２つの取付フレーム８６，８６が長手方向に相対的に移動しても、常に一方の回転軸８７の回転力が他方の回転軸８７に伝達されるようになっている。
【００４９】
２個の非重合用ドラムホルダには、２本の非重合用昇降コード８９，８９を繰出し可能に巻取る２個の非重合用巻取ドラム９１，９１と、２組の非重合用ラダーコード９２，９２の前後をそれぞれ上下動させる２個の非重合用傾動ドラム９３，９３とが取付けられる（図１１）。そして、これらの非重合用巻取ドラム及び非重合用傾動ドラムに上記回転軸が挿通され、非重合用巻取ドラム９１及び非重合用傾動ドラム９３は回転軸８７を中心に回動可能に構成される。また、上記非重合用巻取ドラム９１は常に回転軸８７とともに回転可能に構成され、非重合用傾動ドラム９３は所定の角度だけ回転軸８７ととともに回転可能に構成される。具体的には、非重合用傾動ドラム９３に形成されたプーリ溝（図示せず）に円弧板状のラダーリング（図示せず）の内周部が嵌合される。そして、回転軸８７が前方向又は後方向に９０度未満の角度だけ回転すると、非重合用傾動ドラム９３が回転軸８７とともに回転し、ラダーリングの内周部と非重合用傾動ドラム９３のプーリ溝の摩擦によりラダーリングも非重合用傾動ドラム９３と一体的に回転するように構成される。一方、回転軸８７が前方向又は後方向に９０度以上回転すると、ラダーリングが傾動ストッパ（図示せず）に当たって非重合用傾動ドラム９３の回転が停止して、２組のスラット群８４，８４の各スラット８４ａ，８４ａが９０度以上傾斜しなくなるけれども、非重合用巻取ドラム９１は回転し続けるように構成される。
【００５０】
一方、２組のスラット群８４，８４は、２つの取付フレーム８６，８６からそれぞれ垂下され、昇降可能に構成される（図１０）。具体的には、２組のスラット群８４，８４は水平方向に延びかつ鉛直方向に所定の間隔をあけて設けられた複数のスラット８４ａ，８４ａによりそれぞれ構成され、隣り合うスラット群８４，８４の各スラット８４ａ，８４ａの長手方向の一部が、交互に重合するように構成される。また、２組のスラット群８４，８４の下端には２つのボトムレール９４，９４がそれぞれ設けられる。具体的には、２つのボトムレール９４，９４は２組のスラット群８４，８４の複数のスラット８４ａ，８４ａのうち最下段のスラット８４ａ，８４ａの直下に位置するように水平方向に延びて設けられる。２組のスラット群８４，８４のうち右側のスラット群８４は、右側の２組の非重合用ラダーコード９２，９２と、１組の重合用ラダーコード９６とにより吊下げられる。また、２組のスラット群８４，８４のうち左側のスラット群８４は、左側の２組の非重合用ラダーコード９２，９２により吊下げられる。ここで、隣り合う２組のスラット群８４，８４の各スラット８４ａ，８４ａの一部が交互に重合する部分を重合部９７とするとき、右側の非重合用ラダーコード９２は右側のスラット群８４を重合部９７でない部分で吊下げ、左側の非重合用ラダーコード９２は左側のスラット群８４を重合部９７でない部分で吊下げ、重合用ラダーコード９６は右側のスラット群８４を重合部９７で吊下げるように構成される。そして、２つの取付フレーム８６，８６のいずれか一方又は双方が長手方向に移動することにより、上記隣り合うスラット群８４，８４が重合した状態でその重合長さが変化して、第３遮蔽体ユニット８３が長手方向に伸縮するように構成される。
【００５１】
第３遮蔽体ユニット８３の伸縮時に、重合部９７での隣り合う２組のスラット群８４，８４と重合用ラダーコード９６との間に作用する摺動抵抗を抑制するように重合用ラダーコード９６が重合部９７に設けられる（図１０）。この重合用ラダーコード９６は、この実施の形態では、重合部９７で隣り合う２組のスラット群８４，８４のうち右側のスラット群８４を保持する上記１組の重合用ラダーコード９６である。そして、１組の重合用ラダーコード９６の一対の重合用縦紐９６ａの下端は右側のボトムレール９４に取付けられ、上端は回転軸８７に嵌入された右側の重合用傾動ドラム９８に取付けられる（図１０及び図１１）。この重合用傾動ドラム９８は、取付フレーム８６内に設けられた重合用ドラムホルダ（図示せず）に回動可能に取付けられる。そして、回転軸８７が前方向又は後方向に９０度未満の角度だけ回転すると、重合用傾動ドラム９８が回転軸８７とともに回転して、重合用ラダーコード９６も重合用傾動ドラム９８と一体的に回転するように構成される。一方、回転軸８７が前方向又は後方向に９０度以上回転すると、重合用傾動ドラム９８の回転が停止して、２組のスラット群８４，８４の各スラット８４ａ，８４ａが９０度以上傾斜しなくなるように構成される。なお、２組のボトムレール９４，９４の互いに対向する端部は、第３遮蔽体ユニット８３の長手方向への伸縮に拘らず、２つのボトムレール９４，９４が互いに接触しないように２組のスラット群８４，８４の各スラット８４ａ，８４ａより短く形成される。
【００５２】
一方、右側の２本の非重合用昇降コード８９，８９により右側のスラット群８４を受け持ち、左側の２本の非重合用昇降コード８９，８９により左側のスラット群８４を受け持つように構成される（図１０）。これらの非重合用昇降コード８９，８９は、２組のスラット群８４，８４の重合部９７でない部分にそれぞれ設けられる。また、右側のボトムレール９４には右側の２本の非重合用昇降コード８９，８９の一端がそれぞれ取付けられ、これらの非重合用昇降コード８９，８９の他端は右側のスラット群８４の各スラット８４ａに遊挿された後に右側の２個の非重合用巻取ドラム９１，９１にそれぞれ取付けられる。更に、左側のボトムレール９４には左側の２本の非重合用昇降コード８９，８９の一端がそれぞれ取付けられ、これらの非重合用昇降コード８９，８９の他端は左側のスラット群８４の各スラット８４ａに遊挿された後に左側の２個の非重合用巻取ドラム８９，８９に取付けられる。なお、図１０中の符号９９は、右側の取付フレーム８６の前面右部に取付けられた昇降チルト用操作コードである。この昇降チルト用操作コード９９は、２組のスラット群８４，８４の複数のスラット８４ａ，８４ａの昇降又はチルトを同時に行うために、図示しないプーリ及び歯車を介して回転軸８７に接続される。そして、昇降チルト用操作コード９９を操作することにより、２本の回転軸８７，８７が同時に回動して、非重合用昇降コード８９が非重合用巻取ドラム９１に巻取られ又は非重合用巻取ドラム９１から繰出されることにより、２組のスラット群８４，８４を同時に昇降できるとともに、非重合用ラダーコード９２及び重合用ラダーコード９６の前後が上下動して、２組のスラット群８４，８４の複数のスラット８４ａ，８４ａが前側又は後側に傾斜することにより、これらのスラット８４ａ，８４ａのチルト角を同時に変更できるようになっている。また、図１１中の符号１０１，１０２及び１０３は、第１遮蔽体ユニット６１の回転軸、巻取ドラム及び傾動ドラムである。上記以外は第１の実施の形態と同一に構成される。
【００５３】
このように構成された日射遮蔽装置８０の動作を説明する。被着体１３に取付けられた第２伸縮ユニット５２が、第３遮蔽体ユニット８３をその長手方向に伸長させることにより、遮蔽体ユニット群８１の中間の隙間８１ｃを閉止或いは縮小する。具体的には、第２伸縮ユニット５２の伸縮用操作コード２８を操作すると、この操作により発生した回転力が回転力伝達機構２７のプーリ２７ｄ、駆動ギヤ２７ｂ及び従動ギヤ２７ａを介して出力軸２３に伝達される。次に、この出力軸２３に伝達された回転力が第１雄ねじ部３１ａの第１雌ねじ部２４ａへの噛合により、第１スライド部材２４の移動に変換される。更に、第１スライド部材２４に係合する第３遮蔽体ユニット８３が第１遮蔽体ユニット６１に近付く方向に移動し、第１スライド部材２４がホルダ本体２９ａの一対の側板２９ｆ，２９ｇに当接する。この結果、第２伸縮ユニット５２の伸縮用操作コード２８を操作することにより、遮蔽体ユニット群８１の中間の隙間８１ｃを閉止又は縮小できる（図９（ｂ）及び図１０（ｂ））。このように被着体１３に取付けられた第２伸縮ユニット５２を操作しなければ、第３遮蔽体ユニット８３をその長手方向に伸縮できない構成であるので、遮蔽体ユニット群８１の中間の隙間１８ｃを閉止或いは縮小していない状態で第３遮蔽体ユニット８３を昇降操作しても、第３遮蔽体ユニット８３がその長手方向に伸縮せず、第３遮蔽体ユニット８３の第１遮蔽体ユニット６１への意図しない接触を抑制できる。
【００５４】
一方、第１遮蔽体ユニット６１は、従来から知られている一般的な横型ブラインドであり、全く変更せずに済む。また、第３遮蔽体ユニット８３は、２つの取付フレーム８６，８６がそれぞれ相対移動可能に被着体１３に取付けられ、かつ２組のスラット群８４，８４を同時に昇降及びチルトできるように構成された特殊な横型ブラインドであるけれども、第２伸縮ユニット５２の第１スライド部材２４の第１凹部２４ｂに、第３遮蔽体ユニット８３の取付フレーム８６に取れないように固定されたエンドキャップ８６ａを挿入するだけで、第１スライド部材２４が第２伸縮ユニット５２の右側に位置する第３遮蔽体ユニット８３に係合されるので、第３遮蔽体ユニット８３の構造を僅かに変更するだけで済む。この結果、第１及び第２の実施の形態の遮蔽体ユニット群より、製作工数及び設置工数が増加するけれども、本実施の形態の遮蔽体ユニット群８１の製作工数及び設置工数をある程度低減できる。
【００５５】
一方、第３遮蔽体ユニット８３の左端を伸縮させても、遮蔽体ユニット群８１の一端の隙間８１ａの大きさは、第３遮蔽体ユニット８３の右端がその長手方向に移動しない構成であるので、変化しない。また、第３遮蔽体ユニット８３の側面が窓枠側面等に当接せずかつ上記隙間８１ａが室内側からの正面視で遮蔽物３６の側縁から視認不能になるように設定している。この結果、上記当接による異音が発生することはなく、また上記隙間８１ａから入った光が遮蔽物３６に遮られて、室内への光漏れを防止できる。
【００５６】
＜第４の実施の形態＞
図１２は本発明の第４の実施の形態を示す。図１２において図１及び図９と同一符号は同一部品を示す。この実施の形態では、日射遮蔽装置１１０が、被着体に２つの第３遮蔽体ユニット８３，８３が一列に配置された遮蔽体ユニット群１１１を備える。即ち、この実施の形態では、第３の実施の形態における他端側（左側）の第１遮蔽体ユニットが第３遮蔽体ユニット８３に置き換えられる。上記２つの第３遮蔽体ユニット８３，８３は、被着体に長手方向に伸縮可能にそれぞれ取付けられる。また、この実施の形態では、遮蔽体ユニット群１１１の中間の隙間１１１ｃに位置するように、即ち２つの第３遮蔽体ユニット８３，８３の間の隙間１１１ｃに位置するように第１伸縮ユニット２１が被着体に取付けられる。そして、第１伸縮ユニット２１の第１スライド部材の第１凹部に、右側の第３遮蔽体ユニット８３の他方（左側）の取付フレーム８６に取れないように固定されたエンドキャップを挿入し、第２スライド部材の第２凹部に、左側の第３遮蔽体ユニット８３の一方（右側）の取付フレーム８６に取れないように固定されたエンドキャップを挿入することにより、第１及び第２スライド部材が第１伸縮ユニット２１の両側に位置する第３遮蔽体ユニット８３，８３に係合され、第１伸縮ユニット２１が２つの第３遮蔽体ユニット８３，８３をその長手方向に伸長させることにより、遮蔽体ユニット群８１の中間の隙間１１１ｃを閉止可能或いは縮小可能に構成される。
【００５７】
また、遮蔽体ユニット群１１１の一端の隙間１１１ａに位置するように、即ち右側の第３遮蔽体ユニット８３の右端と窓枠１１２の右側枠部１１２ａとの間の隙間１１１ａに位置するように第２伸縮ユニット５２が被着体に取付けられる。そして、第２伸縮ユニット５２の第１スライド部材の第１凹部に、右側の第３遮蔽体ユニット８３の一方（右側）の取付フレーム８６に取れないように固定されたエンドキャップを挿入することにより、第１スライド部材が第２伸縮ユニット５２の左側に位置する第３遮蔽体ユニット８３に係合され、第２伸縮ユニット５２が右側の第３遮蔽体ユニット８３をその長手方向に伸長させることにより、遮蔽体ユニット群１１１の一端の隙間１１１ａを閉止可能或いは縮小可能に構成される。更に、遮蔽体ユニット群１１１の他端の隙間１１１ｂに位置するように、即ち左側の第３遮蔽体ユニット８３の左端と窓枠１１２の左側枠部１１２ｂとの間の隙間１１１ｂに位置するように第２伸縮ユニット５２が被着体に取付けられる。そして、第２伸縮ユニット５２の第１スライド部材の第１凹部に、左側の第３遮蔽体ユニット８３の他方（左側）の取付フレーム８６に取れないように固定されたエンドキャップを挿入することにより、第１スライド部材が第２伸縮ユニット５２の右側に位置する第３遮蔽体ユニット８３に係合され、第２伸縮ユニット５２が左側の第３遮蔽体ユニット８３をその長手方向に伸長させることにより、遮蔽体ユニット群１１１の他端の隙間１１１ｂを閉止可能或いは縮小可能に構成される。なお、遮蔽体ユニット群１１１の一端の隙間１１１ａ及び他端の隙間１１１ｂの近傍には、植木等の障害物（図示せず）がそれぞれ置かれる。そして、右側の第３遮蔽体ユニット８３の伸長端部が障害物に接触するのを回避しながら操作可能な位置に右側の第２伸縮ユニット５２の伸縮用操作コードが配置され、左側の第３遮蔽体ユニット８３の伸長端部が障害物に接触するのを回避しながら操作可能な位置に左側の第２伸縮ユニット５２の伸縮用操作コードが配置される。上記以外は第３の実施の形態と同一に構成される。
【００５８】
このように構成された日射遮蔽装置１１０の動作を説明する。第１伸縮ユニット２１の伸縮用操作コードを操作すると、第１及び第２スライド部材にそれぞれ係合する２つの第３遮蔽体ユニット８３，８３が互いに近付く方向に伸長し、第１及び第２スライド部材がホルダ本体の一対の側板にそれぞれ当接する。この結果、第１伸縮ユニット２１の伸縮用操作コードを操作することにより、遮蔽体ユニット群１１１の中間の隙間１１１ｃを閉止又は縮小できる。また、右側の第２伸縮ユニット５２の伸縮用操作コードを操作すると、第１スライド部材に係合する右側の第３遮蔽体ユニット８３が窓枠１１２の右側枠部１１２ａに近付く方向に伸長し、第１スライド部材がホルダ本体の一対の側板に当接する。この結果、右側の第２伸縮ユニット５２の伸縮用操作コードを操作することにより、遮蔽体ユニット群１１１の一端の隙間１１１ａを閉止又は縮小できる。更に、左側の第２伸縮ユニット５２の伸縮用操作コードを操作すると、第１スライド部材に係合する左側の第３遮蔽体ユニット８３が窓枠１１２の左側枠部１１２ｂに近付く方向に伸長し、第１スライド部材がホルダ本体の一対の側板に当接する。この結果、左側の第２伸縮ユニット５２の伸縮用操作コードを操作することにより、遮蔽体ユニット群１１１の他端の隙間１１１ｂを閉止又は縮小できる。このように被着体に取付けられた第１及び第２伸縮ユニット２１，５２を操作しなければ、第３遮蔽体ユニット８３をその長手方向に伸縮できない構成であるので、遮蔽体ユニット群１１１の中間の隙間１１１ｃ、一端の隙間１１１ａ及び他端の隙間１１１ｂを閉止或いは縮小していない状態で第３遮蔽体ユニット８３を昇降操作しても、第３遮蔽体ユニット８３がその長手方向に伸縮せず、第３遮蔽体ユニット８３，８３同士の意図しない接触、右側の第３遮蔽体ユニット８３の右側枠部１１２ａへの意図しない接触及び左側の第３遮蔽体ユニット８３の左側枠部１１２ｂへの意図しない接触を抑制できる。
【００５９】
一方、右側の第２伸縮ユニット５２の伸縮用操作コードを操作して右側の第３遮蔽体ユニット８３を伸長するとき、遮蔽体ユニット群１１１の一端の隙間１１１ａの近傍に障害物があるため、右側の第３遮蔽体ユニット８３の伸長端部が障害物に接触しそうになる場合がある。このとき、上記接触を回避するために、障害物を手で抑えながら右側の第２伸縮ユニット５２の伸縮用操作コードを操作する。この結果、上記接触による障害物又は右側の第３遮蔽体ユニット８３の損傷を防止できる。また、左側の第２伸縮ユニット５２の伸縮用操作コードを操作して左側の第３遮蔽体ユニット８３を伸長するとき、遮蔽体ユニット群１１１の他端の隙間１１１ｂの近傍に障害物があるため、左側の第３遮蔽体ユニット８３の伸長端部が障害物に接触しそうになる場合がある。このとき、上記接触を回避するために、障害物を手で抑えながら左側の第２伸縮ユニット５２の伸縮用操作コードを操作する。この結果、上記接触による障害物又は左側の第３遮蔽体ユニット８３の損傷を防止できる。
【００６０】
一方、第３遮蔽体ユニット８３は、２つの取付フレーム８６，８６がそれぞれ相対移動可能に被着体に取付けられ、かつ２組のスラット群を同時に昇降及びチルトできるように構成された特殊な横型ブラインドである。しかし、第１伸縮ユニット２１の第１スライド部材の第１凹部に、右側の第３遮蔽体ユニット８３の取付フレーム８６に取れないように固定されたエンドキャップを挿入すると、第１伸縮ユニット２１の第１スライド部材が右側の第３遮蔽体ユニット８３に係合され、第１伸縮ユニット２１の第２スライド部材の第２凹部に、左側の第３遮蔽体ユニット８３の取付フレーム８６に取れないように固定されたエンドキャップを挿入すると、第１伸縮ユニット２１の第２スライド部材が左側の第３遮蔽体ユニット８３に係合される。また、右側の第２伸縮ユニット５２の第１スライド部材の第１凹部に、右側の第３遮蔽体ユニット８３の取付フレーム８６に取れないように固定されたエンドキャップを挿入すると、右側の第２伸縮ユニット５２の第１スライド部材が右側の第３遮蔽体ユニット８３に係合され、左側の第２伸縮ユニット５２の第１スライド部材の第１凹部に、左側の第３遮蔽体ユニット８３の取付フレーム８６に取れないように固定されたエンドキャップを挿入すると、左側の第２伸縮ユニット５２の第１スライド部材が左側の第３遮蔽体ユニット８３に係合される。このように、第１〜第３の実施の形態の遮蔽体ユニット群のような遮蔽物がない場合に、第３遮蔽体ユニット８３の構造の変更を比較的少ない変更で対応できる。
【００６１】
＜第５の実施の形態＞
図１３は本発明の第５の実施の形態を示す。図１３において図１、図９及び図１２と同一符号は同一部品を示す。この実施の形態では、日射遮蔽装置１３０が、被着体に第３遮蔽体ユニット８３と第２遮蔽体ユニット１２とが一列に配置された遮蔽体ユニット群１３１を備える。即ち、この実施の形態では、第３の実施の形態における他端側（左側）の第１遮蔽体ユニットが第２遮蔽体ユニット１２に置き換えられる。また、この実施の形態では、遮蔽体ユニット群１３１の中間の隙間１３１ｃに位置するように、即ち第３遮蔽体ユニット８３と第２遮蔽体ユニット１２との間の隙間１３１ｃに位置するように第３伸縮ユニット１３３が被着体に取付けられる。この第３伸縮ユニット１３３は、第１の実施の形態の第１伸縮ユニットと次の点で異なる。第３伸縮ユニット１３３は、図示しないが、第１雄ねじ部及び第１雌ねじ部の螺旋の向きと、第２雄ねじ部及び第２雌ねじ部の螺旋の向きとが同一であり、第１雄ねじ部及び第１雌ねじ部のリードが第２雄ねじ部及び第２雌ねじ部のリードより大きく形成される。第３伸縮ユニット１３３の上記以外の構成は、第１の実施の形態の第１伸縮ユニットの構成と同一である。
【００６２】
そして、第３伸縮ユニット１３３の第１スライド部材の第１凹部に、右側の第３遮蔽体ユニット８３の他方（左側）の取付フレーム８６に取れないように固定されたエンドキャップを挿入し、第２スライド部材の第２凹部に、左側の第２遮蔽体ユニット１２のヘッドレール１６に取れないように固定されたエンドキャップを挿入することにより、第１及び第２スライド部材が第３伸縮ユニット１３３の両側に位置する第３遮蔽体ユニット８３及び第２遮蔽体ユニット１２に係合される。また、第３伸縮ユニット１３３により第３遮蔽体ユニット８３を伸長させる前かつ第２遮蔽体ユニット１２を移動させる前において、遮蔽体ユニット群１３１の中間の隙間１３１ｃは他端の隙間１３ｂと大きさが同一に形成される。そして、第３伸縮ユニット１３３が第３遮蔽体ユニット８３をその長手方向に伸長させ、第２遮蔽体ユニット１２をその長手方向に移動させることにより、遮蔽体ユニット群１３１の中間の隙間１３１ｃ及び他端の隙間１３１ｂを同時に閉止可能或いは縮小可能に構成される。即ち、遮蔽体ユニット群１３１の中間の隙間１３１ｃ及び他端の隙間１３１ｂは、第３遮蔽体ユニット８３及び第２遮蔽体ユニット１２を第３伸縮ユニット１３３により同一方向に伸長及び移動させ、かつ第３遮蔽体ユニット８３の伸長量を第２遮蔽体ユニット１２の移動量より大きくすることにより閉止或いは縮小されるように構成される。
【００６３】
一方、遮蔽体ユニット群１３１の一端の隙間１３１ａに位置するように、即ち第３遮蔽体ユニット８３の右端と窓枠１１２の右側枠部１１２ａとの間の隙間１３１ａに位置するように第２伸縮ユニット５２が被着体に取付けられる。そして、第２伸縮ユニット５２の第１スライド部材の第１凹部に、第３遮蔽体ユニット８３の一方（右側）の取付フレーム８６に取れないように固定されたエンドキャップを挿入することにより、第１スライド部材が第２伸縮ユニット５２の左側に位置する第３遮蔽体ユニット８３に係合される。第２伸縮ユニット５２が第３遮蔽体ユニット８３をその長手方向に伸長させることにより、遮蔽体ユニット群１３１の一端の隙間１３１ａを閉止可能或いは縮小可能に構成される。即ち、遮蔽体ユニット群１３１の一端の隙間１３１ａは、この隙間１３１ａの左側に位置する第３遮蔽体ユニット８３を第２伸縮ユニット５２により伸長させることにより閉止或いは縮小されるように構成される。上記以外は第３の実施の形態と同一に構成される。
【００６４】
このように構成された日射遮蔽装置１３０の動作を説明する。第３伸縮ユニット１３３の伸縮用操作コードを操作すると、第１スライド部材に係合する第３遮蔽体ユニット８３が左側に伸長し、第２スライド部材に係合する第２遮蔽体ユニット１２が左側に移動し、第１及び第２スライド部材がホルダ本体の一対の側板にそれぞれ当接する。このとき、第３遮蔽体ユニット８３の伸長量が第２遮蔽体ユニット１２の移動量より大きいので、遮蔽体ユニット群１３１の中間の隙間１３１ｃ及び他端の隙間１３１ｂを同時に閉止又は縮小できる。また、第２伸縮ユニット５２の伸縮用操作コードを操作すると、第１スライド部材に係合する第３遮蔽体ユニット８３が窓枠１１２の右側枠部１１２ａに近付く方向に伸長し、第１スライド部材がホルダ本体の一対の側板に当接する。この結果、第２伸縮ユニット５２の伸縮用操作コードを操作することにより、遮蔽体ユニット群１３１の一端の隙間１３１ａを閉止又は縮小できる。このように被着体に取付けられた第３伸縮ユニット１３３を操作しなければ、第３遮蔽体ユニット８３をその長手方向に伸縮できない構成であり、第２伸縮ユニット５２を操作しなければ、第２遮蔽体ユニット１２をその長手方向に移動できない構成であるので、遮蔽体ユニット群１３１の中間の隙間１３１ｃ、一端の隙間１３１ａ及び他端の隙間１３１ｂを閉止或いは縮小していない状態で第３遮蔽体ユニット８３や第２遮蔽体ユニット１２を昇降操作しても、第３遮蔽体ユニット８３及び第２遮蔽体ユニット１２がその長手方向に伸長及び移動せず、第３遮蔽体ユニット８３と第２遮蔽体ユニット１２との意図しない接触、第２遮蔽体ユニット１２の左側枠部１１２ｂへの意図しない接触及び第３遮蔽体ユニット８３の右側枠部１１２ａへの意図しない接触を抑制できる。上記以外の動作は、第４の実施の形態の動作と略同様であるので、繰返しの説明を省略する。
【００６５】
＜第６の実施の形態＞
図１４は本発明の第６の実施の形態を示す。図１４において図１２と同一符号は同一部品を示す。この実施の形態では、日射遮蔽装置１５０が、被着体に２つの第３遮蔽体ユニット８３，８３と２つの第１遮蔽体ユニット６１，６１が一列に配置された遮蔽体ユニット群１５１を備える。即ち、この実施の形態では、第４の実施の形態における２つの第３遮蔽体ユニットの両側に２つの第１遮蔽体ユニット６１，６１がそれぞれ配置される。また、遮蔽体ユニット群１５１の一端の隙間１５１ａ及び他端の隙間１５１ｂの双方が遮蔽物３６，３６により隠されるように構成される。そして、右側の第１遮蔽体ユニット６１の側面が窓枠側面等に当接せずかつ遮蔽体ユニット群１５１の一端の隙間１５１ａが室内側からの正面視で遮蔽物３６の側縁から視認不能になるように設定され、左側の第１遮蔽体ユニット６１の側面が窓枠側面等に当接せずかつ遮蔽体ユニット群１５１の他端の隙間１５１ｂが室内側からの正面視で遮蔽物３６の側縁から視認不能になるように設定される。更に、２つの第３遮蔽体ユニット８３，８３の間の隙間１５１ｅに位置するように第１伸縮ユニット２１が被着体に取付けられ、右側の第３遮蔽体ユニット８３と右側の第１遮蔽体ユニット６１との間の隙間１５１ｃに位置するように、第２伸縮ユニット５２が被着体に取付けられ、左側の第３遮蔽体ユニット８３と左側の第１遮蔽体ユニット６１との間の隙間１５１ｂに位置するように、第２伸縮ユニット５２が被着体に取付けられる。上記以外は第４の実施の形態と同一に構成される。
【００６６】
このように構成された日射遮蔽装置１５０の動作を説明する。第１伸縮ユニット２１の伸縮用操作コードを操作すると、第１及び第２スライド部材にそれぞれ係合する２つの第３遮蔽体ユニット８３が互いに近付く方向に伸長するので、２つの第３遮蔽体ユニット８３，８３の間の隙間１５１ｃを閉止又は縮小できる。また、右側の第２伸縮ユニット５２の伸縮用操作コードを操作すると、第１スライド部材に係合する右側の第３遮蔽体ユニット８３が右側の第１遮蔽体ユニット６１に近付く方向に伸長するので、右側の第３遮蔽体ユニット８３と右側の第１遮蔽体ユニット６１との間の隙間１５１ａを閉止又は縮小できる。更に、左側の第２伸縮ユニット５２の伸縮用操作コードを操作すると、第１スライド部材に係合する左側の第３遮蔽体ユニット８３が左側の第１遮蔽体ユニット６１に近付く方向に伸長するので、左側の第３遮蔽体ユニット８３と左側の第１遮蔽体ユニット６１との間の隙間１５１ｄを閉止又は縮小できる。このように被着体に取付けられた第１及び第２伸縮ユニット２１，５２を操作しなければ、第３遮蔽体ユニット８３をその長手方向に伸縮できない構成であるので、遮蔽体ユニット群１５１の中間の隙間１５１ｃを閉止或いは縮小していない状態で第３遮蔽体ユニット８３を昇降操作しても、第３遮蔽体ユニット８３がその長手方向に伸縮せず、第３遮蔽体ユニット８３，８３同士の意図しない接触、右側の第３遮蔽体ユニット８３の右側の第１遮蔽体ユニット６１への意図しない接触及び左側の第３遮蔽体ユニット８３の左側の第１遮蔽体ユニット６１への意図しない接触を抑制できる。
【００６７】
一方、右側の第１遮蔽体ユニット６１の側面が窓枠側面等に当接せずかつ遮蔽体ユニット群１５１の一端の隙間１５１ａが室内側からの正面視で遮蔽物３６の側縁から視認不能になるように設定されているため、右側の第１遮蔽体ユニット６１の側面が窓枠側面等に当接することはなく、かつ遮蔽体ユニット群１５１の一端の隙間１５１ａを室内側からの正面視で遮蔽物３６の側縁から視認できない。また、左側の第１遮蔽体ユニット６１の側面が窓枠側面等に当接せずかつ遮蔽体ユニット群１５１の他端の隙間１５１ｂが室内側からの正面視で遮蔽物３６の側縁から視認不能になるように設定されているため、左側の第１遮蔽体ユニット６１の側面が窓枠側面等に当接することはなく、かつ遮蔽体ユニット群１５１の他端の隙間１５１ｂを室内側からの正面視で遮蔽物３６の側縁から視認できない。この結果、上記当接による異音が発生することはなく、また上記隙間１５１ａ，１５１ｂから入った光が遮蔽物３６，３６に遮られて、室内への光漏れを防止できる。上記以外の動作は、第４の実施の形態の動作と略同様であるので、繰返しの説明を省略する。
【００６８】
＜第７の実施の形態＞
図１５は本発明の第７の実施の形態を示す。図１５において図１及び図６と同一符号は同一部品を示す。この実施の形態では、日射遮蔽装置１７０が、被着体に３つの第２遮蔽体ユニット１２，１２，１２，と１つの第１遮蔽体ユニット６１が一列に配置された遮蔽体ユニット群１７１を備える。即ち、この実施の形態では、右側から第２遮蔽体ユニット１２、第１遮蔽体ユニット６１、第２遮蔽体ユニット１２及び第２遮蔽体ユニット１２が一列に配置される。そして、遮蔽体ユニット群１７１の３つの中間の隙間１７１ｃ，１７１ｄ，１７１ｅのうち右側の隙間１７１ｃに位置するように第２伸縮ユニット５２が被着体に取付けられる。また、遮蔽体ユニット群１７１の３つの中間の隙間１７１ｃ，１７１ｄ，１７１ｅのうち左側の隙間１７１ｄに位置するように第３伸縮ユニット１３３が被着体に取付けられる。上記以外は第１の実施の形態と同一に構成される。
【００６９】
このように構成された日射遮蔽装置１７０の動作を説明する。第２伸縮ユニット５２の伸縮用操作コードを操作すると、第１スライド部材に係合する右側の第２遮蔽体ユニット１２が第１遮蔽体ユニット６１に近付く方向に移動するので、右側の第２遮蔽体ユニット１２と第１遮蔽体ユニット６１との間の隙間１７１ｃを閉止又は縮小できる。また、第３伸縮ユニット１３３の伸縮用操作コードを操作すると、第１スライド部材に係合する中央の第２遮蔽体ユニット１２が右側に移動し、第２スライド部材に係合する左側の第２遮蔽体ユニット１２が右側に移動して、第１スライド部材が第１ストッパ部に当接し同時に第２スライド部材がホルダ本体の側板に当接する。このとき、左側の第２遮蔽体ユニット１２の移動量が中央の第２遮蔽体ユニット１２の移動量より大きいので、遮蔽体ユニット群１７１の３つの中間の隙間１７１ｃ，１７１ｄ，１７１ｅのうち左側の隙間１７１ｄ及び中央の隙間１７１ｅを同時に閉止又は縮小できる。このように被着体に取付けられた第２伸縮ユニット５２を操作しなければ、右側の第２遮蔽体ユニット１２をその長手方向に移動できない構成であり、第３伸縮ユニット１３３を操作しなければ、中央の第２遮蔽体ユニット１２及び左側の第２遮蔽体ユニット１２をそれらの長手方向に移動できない構成であるので、遮蔽体ユニット群１７１の３つの中間１７１ｃ，１７１ｄ，１７１ｅの隙間を閉止或いは縮小していない状態で第２遮蔽体ユニット１２を昇降操作しても、第２遮蔽体ユニット１２がその長手方向に移動せず、第２遮蔽体ユニット１２の第１遮蔽体ユニット６１への意図しない接触及び第２遮蔽体ユニット１２，１２同士の意図しない接触を抑制できる。上記以外の動作は、第１の実施の形態の動作と略同様であるので、繰返しの説明を省略する。
【００７０】
＜第８の実施の形態＞
図１６は本発明の第８の実施の形態を示す。図１６において図１２及び図１３と同一符号は同一部品を示す。この実施の形態では、日射遮蔽装置１９０が、被着体に２つの第２遮蔽体ユニット１２，１２と２つの第３遮蔽体ユニット８３，８３が一列に配置された遮蔽体ユニット群１９１を備える。即ち、この実施の形態では、右側から第２遮蔽体ユニット１２、第３遮蔽体ユニット８３、第３遮蔽体ユニット８３及び第２遮蔽体ユニット１２が一列に配置される。そして、遮蔽体ユニット群１９１の３つの中間の隙間１９１ｃ，１９１ｄ，１９１ｅのうち右側の隙間１９１ｃに位置するように第３伸縮ユニット１３３が被着体に取付けられる。また、遮蔽体ユニット群１９１の３つの中間の隙間１９１ｃ，１９１ｄ，１９１ｅのうち中央の隙間１９１ｅに位置するように第１伸縮ユニット２１が被着体に取付けられる。更に、遮蔽体ユニット群１９１の３つの中間の隙間１９１ｃ，１９１ｄ，１９１ｅのうち左側の隙間１９１ｄに位置するように第３伸縮ユニット１３３が被着体に取付けられる。上記以外は第４の実施の形態と同一に構成される。
【００７１】
このように構成された日射遮蔽装置１９０の動作を説明する。右側の第３伸縮ユニット１３３の伸縮用操作コードを操作すると、第１スライド部材に係合する右側の第２遮蔽体ユニット１２が右側に移動し、第２スライド部材に係合する右側の第３遮蔽体ユニット８３が右側に移動して、第１スライド部材が第１ストッパ部に当接し同時に第２スライド部材がホルダ本体の側板に当接する。このとき、右側の第３遮蔽体ユニット８３の移動量が右側の第２遮蔽体ユニット１２の伸長量より大きいので、遮蔽体ユニット群１９１の一端の隙間１９１ａと、３つの中間の隙間１９１ｃ，１９１ｄ，１９１ｅのうち右側の隙間１９１ｃを同時に閉止又は縮小できる。また、左側の第３伸縮ユニット１３３の伸縮用操作コードを操作すると、第１スライド部材に係合する左側の第２遮蔽体ユニット１２が左側に移動し、第２スライド部材に係合する左側の第３遮蔽体ユニット８３が左側に移動して、第１スライド部材がホルダ本体の側板に当接し同時に第２スライド部材が第１ストッパ部に当接する。このとき、左側の第３遮蔽体ユニット８３の移動量が左側の第２遮蔽体ユニット１２の伸長量より大きいので、遮蔽体ユニット群１９１の他端の隙間１９１ｂと、３つの中間の隙間１９１ｃ，１９１ｄ，１９１ｅのうち左側の隙間１９１ｄを同時に閉止又は縮小できる。更に、第１伸縮ユニット２１の伸縮用操作コードを操作すると、第１及び第２スライド部材に係合する２つの第３遮蔽体ユニット８３，８３が互いに近付く方向に伸長するので、遮蔽体ユニット群１９１の３つの中間１９１ｃ，１９１ｄ，１９１ｅの隙間のうち中央の隙間１９１ｅを閉止又は縮小できる。
【００７２】
このように被着体に取付けられた右側の第３伸縮ユニット１３３を操作しなければ、右側の第２遮蔽体ユニット１２及び右側の第３遮蔽体ユニット８３をそれらの長手方向に移動及び伸長できない構成であり、左側の第３伸縮ユニット１３３を操作しなければ、左側の第２遮蔽体ユニット１２及び左側の第３遮蔽体ユニット８３をそれらの長手方向に移動及び伸長できない構成であり、第１伸縮ユニット２１を操作しなければ、２つの第３遮蔽体ユニット８３，８３をそれらの長手方向に伸長できない構成であるので、遮蔽体ユニット群１９１の一端の隙間１９１ａ、他端の隙間１９１ｂ及び３つの中間の隙間１９１ｃ，１９１ｄ，１９１ｅを閉止或いは縮小していない状態で第２及び第３遮蔽体ユニット１２，８３を昇降操作しても、第２及び第３遮蔽体ユニット１２，８３がその長手方向に移動及び伸長せず、第２遮蔽体ユニット１２と第３遮蔽体ユニット８３との意図しない接触及び第３遮蔽体ユニット８３，８３同士の意図しない接触を抑制できる。上記以外の動作は、第４の実施の形態の動作と略同様であるので、繰返しの説明を省略する。
【００７３】
＜第９の実施の形態＞
図１７は本発明の第９の実施の形態を示す。図１７において図１２及び図１６と同一符号は同一部品を示す。この実施の形態では、日射遮蔽装置２１０が、被着体に１つの第１遮蔽体ユニット６１と１つの第２遮蔽体ユニット１２と２つの第３遮蔽体ユニット８３，８３が一列に配置された遮蔽体ユニット群２１１を備える。即ち、この実施の形態では、右側から第３遮蔽体ユニット８３、第１遮蔽体ユニット６１、第２遮蔽体ユニット１２及び第３遮蔽体ユニット８３が一列に配置される。そして、遮蔽体ユニット群２１１の一端（右側）の隙間２１１ａに位置するように第２伸縮ユニット５２が被着体に取付けられる。また、遮蔽体ユニット群２１１の他端（左側）の隙間２１１ｂに位置するように第２伸縮ユニット５２が被着体に取付けられる。また、遮蔽体ユニット群２１１の３つの中間の隙間２１１ｃ，２１１ｄ，２１１ｅのうち右側の隙間２１１ｃに位置するように第２伸縮ユニット５２が被着体に取付けられる。更に、遮蔽体ユニット群２１１の３つの中間の隙間２１１ｃ，２１１ｄ，２１１ｅのうち左側の隙間２１１ｄに位置するように第３伸縮ユニット１３３が被着体に取付けられる。上記以外は第４の実施の形態と同一に構成される。
【００７４】
このように構成された日射遮蔽装置２１０の動作を説明する。右側の第２伸縮ユニット５２の伸縮用操作コードを操作すると、第１スライド部材に係合する右側の第３遮蔽体ユニット８３が窓枠１１２の右側枠部１１２ａに近付く方向に伸長するので、遮蔽体ユニット群２１１の一端（右側）の隙間２１１ａを閉止又は縮小できる。また、左側の第２伸縮ユニット５２の伸縮用操作コードを操作すると、第１スライド部材に係合する左側の第３遮蔽体ユニット８３が窓枠１１２の左側枠部１１２ｂに近付く方向に伸長するので、遮蔽体ユニット群２１１の他端（左側）の隙間２１１ｂを閉止又は縮小できる。また、中央の第２伸縮ユニット５２の伸縮用操作コードを操作すると、第１スライド部材に係合する右側の第３遮蔽体ユニット８３が第１遮蔽体ユニット６１に近付く方向に伸長するので、遮蔽体ユニット群２１１の３つの中間の隙間２１１ｃ，２１１ｄ，２１１ｅのうち右側の隙間２１１ｃを閉止又は縮小できる。更に、第３伸縮ユニット１３３の伸縮用操作コードを操作すると、第１スライド部材に係合する右側の第２遮蔽体ユニット１２が右側に移動し、第２スライド部材に係合する左側の第３遮蔽体ユニット８３が右側に伸長して、第１スライド部材が第１ストッパ部に当接し同時に第２スライド部材がホルダ本体の側板に当接する。このとき、左側の第３遮蔽体ユニット８３の移動量が左側の第２遮蔽体ユニット１２の伸長量より大きいので、遮蔽体ユニット群２１１の３つの中間の隙間２１１ｃ，２１１ｄ，２１１ｅのうち左側の隙間２１１ｄ及び中央の隙間２１１ｅを同時に閉止又は縮小できる。
【００７５】
このように被着体に取付けられた第２伸縮ユニット５２を操作しなければ、第３遮蔽体ユニット８３をその長手方向に伸長できない構成であり、第３伸縮ユニット１３３を操作しなければ、左側の第２遮蔽体ユニット１２及び左側の第３遮蔽体ユニット８３をそれらの長手方向に移動及び伸長できない構成であるので、遮蔽体ユニット群２１１の一端の隙間２１１ａ、他端の隙間２１１ｂ及び３つの中間の隙間２１１ｃ，２１１ｄ，２１１ｅを閉止或いは縮小していない状態で第２及び第３遮蔽体ユニット１２，８３を昇降操作しても、第２及び第３遮蔽体ユニット１２，８３がその長手方向に移動及び伸長せず、第３遮蔽体ユニット８３の第１遮蔽体ユニット６１への意図しない接触、第２遮蔽体ユニット１２の第１遮蔽体ユニット６１への意図しない接触、及び第２遮蔽体ユニット１２と第３遮蔽体ユニット８３との意図しない接触を抑制できる。上記以外の動作は、第４の実施の形態の動作と略同様であるので、繰返しの説明を省略する。
【００７６】
なお、上記第１〜第９の実施の形態では、遮蔽体ユニット群が取付けられる被着体として窓枠の上枠部を挙げたが、遮蔽体ユニット群を取付ける被着体は天井、壁等でもよい。
また、上記第１〜第９の実施の形態では、第１及び第２遮蔽体ユニットの各スラットをラダーコードで保持したが、ラダーテープで保持してもよい。また、上記第１〜第９の実施の形態では、第３遮蔽体ユニットの各スラットを非重合用ラダーコード及び重合用ラダーコードで保持したが、非重合用ラダーテープ及び重合用ラダーテープで保持してもよい。
【００７７】
更に、遮蔽体ユニット群の一端の隙間、他端の隙間又は中間の隙間のいずれかを閉止或いは縮小する前の状態を初期状態とするとき、遮蔽体ユニット群は初期状態を除いてそれぞれ昇降を不能にするように構成してもよい。具体的には、第１〜第３伸縮ユニットのカバー体に円筒状の２つの一方向クラッチを互いに回転可能な方向を逆方向にして同心上に取付け、これらに対向するように第２又は第３遮蔽体ユニットの回転軸の先端に突出軸を嵌着する。そして、第１〜第３伸縮ユニットにより第２又は第３遮蔽体ユニットを移動又は伸長して、遮蔽体ユニット群の隙間が閉止或いは縮小されたときに、突出軸が２つの一方向クラッチに挿入されて、突出軸及び回転軸の回転が阻止される。この結果、第２又は第３遮蔽体ユニットの昇降が不能になるので、この昇降に伴う第２又は第３遮蔽体ユニット同士の接触による第２又は第３遮蔽体ユニットの損傷を防止できるとともに、上記隙間からの光漏れを防止或いは抑制できる。
【符号の説明】
【００７８】
１０，５０，８０，１１０，１３０，１５０，１７０，１９０，２１０  日射遮蔽装置
１１，５１，８１，１１１，１３１，１５１，１７１，１９１，２１１  遮蔽体ユニット群
１１ａ，５１ａ，８１ａ，１１１ａ，１３１ａ，１５１ａ，１７１ａ，１９１ａ，２１１ａ  遮蔽体ユニット群の一端の隙間
１１ｂ，５１ｂ，８１ｂ，１１１ｂ，１３１ｂ，１５１ｂ，１７１ｂ，１９１ｂ，２１１ｂ  遮蔽体ユニット群の他端の隙間
１１ｃ，５１ｃ，８１ｃ，１１１ｃ，１３１ｃ，１５１ｃ〜１５１ｅ，１７１ｃ〜１７１ｅ，１９１ｃ〜１９１ｅ，２１１ｃ〜２１１ｅ  遮蔽体ユニット群の中央の隙間
１２  第２遮蔽体ユニット
１３  被着体（窓枠の上枠部）
２１  第１伸縮ユニット
２３  出力軸
２４  第１スライド部材
２４ａ  第１雌ねじ部
２６  第２スライド部材
２６ａ  第２雌ねじ部
２７  回転力伝達機構
２８  伸縮用操作コード（駆動源）
３１ａ  第１雄ねじ部
３２ａ  第２雄ねじ部
３６  遮蔽物
５２  第２伸縮ユニット
６１  第１遮蔽体ユニット
８３  第３遮蔽体ユニット
８４  スラット群
１３３  第３伸縮ユニット
【図１】
2020002542.tif 000003
【図２】
2020002542.tif 000004
【図３】
2020002542.tif 000005
【図４】
2020002542.tif 000006
【図５】
2020002542.tif 000007
【図６】
2020002542.tif 000008
【図７】
2020002542.tif 000009
【図８】
2020002542.tif 000010
【図９】
2020002542.tif 000011
【図１０】
2020002542.tif 000012
【図１１】
2020002542.tif 000013
【図１２】
2020002542.tif 000014
【図１３】
2020002542.tif 000015
【図１４】
2020002542.tif 000016
【図１５】
2020002542.tif 000017
【図１６】
2020002542.tif 000018
【図１７】
2020002542.tif 000019